(57)【特許請求の範囲】
【請求項１】
ディスク状記録媒体が挿入及び／又は排出されるディスク挿脱口を前面に設けた筐体と、
前記筐体の前記ディスク挿脱口の外側のディスク排出位置と前記ディスク挿脱口の内側のディスク装着位置との間に前記ディスク状記録媒体を搬送するディスク搬送機構と、
前記ディスク装着位置に搬送された前記ディスク状記録媒体に着脱可能に装着されるディスク装着部を有し、当該ディスク装着部を回転駆動することによりディスク状記録媒体を回転させる回転駆動機構と、
前記ディスク装着部に装着されて回転される前記ディスク状記録媒体に対して情報信号の記録及び／又は再生を行う光学ピックアップと、
前記光学ピックアップを前記ディスク状記録媒体の情報記録面に沿って移動させるピックアップ移動機構と、
前記回転駆動機構と前記光学ピックアップと前記ピックアップ駆動機構が搭載されたベース部材と、
前記ベース部材を姿勢変更可能に支持し、当該ベース部材の姿勢を変更することにより前記ディスク状記録媒体に対して前記ディスク装着部を装着又は離脱させるベース移動機構と、
前記筐体に対する前記ベース部材の姿勢を調整可能な姿勢調整機構と、を設け、
前記ベース移動機構は、前記筐体に対して傾き角を変更可能に支持された前記ベース部材と、前記ベース部材の自由端側において側方へ突出するように設けたカムピンと、前記筐体に移動可能に支持されると共に前記カムピンが摺動可能に係合されるカム溝を有するスライド部材と、を具え、
前記スライド部材を移動することにより前記カムピンを移動させて前記ベース部材の姿勢を変更させる
ディスクドライブ装置。
【請求項２】
前記姿勢調整機構は、前記筐体に支持されたスライド部材に螺合されると共に軸方向の一端が前記ベース部材に固定されたカムピンに当接される調整ねじを有し、当該調整ねじの螺合位置を変化させることによりベース部材の姿勢を調整可能とした
請求項１記載のディスクドライブ装置。
【請求項３】
前記調整ねじ又は当該調整ねじに当接される操作部材に前記カムピンを付勢する弾性部材を設けた
請求項２記載のディスクドライブ装置。
【請求項４】
前記操作部材は、前記カムピンが一面に当接され且つ他面に前記調整ねじが当接される当接部を有し、
前記調整ねじで前記当接部を押圧することにより前記カムピンを移動させる
請求項３記載のディスクドライブ装置。
【請求項５】
前記操作部材は、前記調整ねじが当接される当接部を有し、当該当接部には、前記カムピンが着脱可能に係合されるピン受部を設け、
前記調整ねじで前記当接部を押圧することにより前記カムピンを移動させる
請求項３記載のディスクドライブ装置。
【請求項６】
前記操作部材は、板ばねによって形成した
請求項３記載のディスクドライブ装置。
【請求項７】
ディスク状記録媒体が着脱可能に装着されると共に装着された前記ディスク状記録媒体に対して情報信号の記録及び／又は再生を行うディスクドライブ装置と、
前記ディスクドライブ装置が収納される装置筐体と、を備えた情報記録及び／又は再生装置であって、
前記ディスクドライブ装置は、
ディスク状記録媒体が挿入及び／又は排出されるディスク挿脱口を前面に設けた筐体と、
前記筐体の前記ディスク挿脱口の外側のディスク排出位置と前記ディスク挿脱口の内側のディスク装着位置との間に前記ディスク状記録媒体を搬送するディスク搬送機構と、
前記ディスク装着位置に搬送された前記ディスク状記録媒体に着脱可能に装着されるディスク装着部を有し、当該ディスク装着部を回転駆動することによりディスク状記録媒体を回転させる回転駆動機構と、
前記ディスク装着部に装着されて回転される前記ディスク状記録媒体に対して情報信号の記録及び／又は再生を行う光学ピックアップと、
前記光学ピックアップを前記ディスク状記録媒体の情報記録面に沿って移動させるピックアップ移動機構と、
前記回転駆動機構と前記光学ピックアップと前記ピックアップ駆動機構が搭載されたベース部材と、
前記ベース部材を姿勢変更可能に支持し、当該ベース部材の姿勢を変更することにより前記ディスク状記録媒体に対して前記ディスク装着部を装着又は離脱させるベース移動機構と、
前記筐体に対する前記ベース部材の姿勢を調整可能な姿勢調整機構と、を設け、
前記ベース移動機構は、前記筐体に対して傾き角を変更可能に支持された前記ベース部材と、前記ベース部材の自由端側において側方へ突出するように設けたカムピンと、前記筐体に移動可能に支持されると共に前記カムピンが摺動可能に係合されるカム溝を有するスライド部材と、を具え、
前記スライド部材を移動することにより前記カムピンを移動させて前記ベース部材の姿勢を変更させる
情報記録及び／又は再生装置。
【発明の詳細な説明】
【技術分野】
【０００１】
本発明は、光学ピックアップをディスク状記録媒体の半径方向に移動させて当該ディスク状記録媒体に対して情報信号の記録及び／又は再生を行うディスクドライブ装置、及びそのディスクドライブ装置を備えたパーソナルコンピュータやデジタルビデオレコーダ等のディスク記録及び／又は再生装置に関する。
【背景技術】
【０００２】
一般に、ディスク状記録媒体として、ＣＤ(Compact Disk)やＤＶＤ(Digital Versatile Disk)といった光ディスクや、ＭＤ(Mini Disk)等の光磁気ディスクが広く知られており、これら光学ディスクを用いて情報信号の記録や再生を行うための各種のディスクドライブ装置が提供されている。
【０００３】
このディスクドライブ装置における光学ディスクの交換方法としては、次のような各種のタイプがある。その１は、筐体に設けた蓋や扉を上方に開放し、その開口部に臨むターンテーブルに光学ディスクを直接装着するタイプである。その２は、装置筐体の内外に亘って水平方向へ搬送されるディスクトレイに光学ディスクを載置し、そのディスクトレイが装置筐体内に引き込まれた際に光学ディスクが、装置筐体内に設けられたターンテーブルに自動的に装着されるタイプである。その３は、ディスクトレイにターンテーブルが一体的に設けられていて、そのディスクトレイが装置筐体外へ引き出された際にターンテーブルへ光学ディスクを直接装着するタイプである。
【０００４】
しかしながら、上述した１〜３のタイプのいずれの場合にも、操作者において、装置筐体の蓋や扉を開閉したり、ディスクトレイを出し入れしたりする操作や、ターンテーブルに光学ディスクを装着する操作が必要であった。
【０００５】
これに対して、装置筐体の前面にディスク挿脱口を設け、そのディスク挿脱口から操作者が光学ディスクを挿入するだけで、光学ディスクが自動的に装置筐体内へ引き込まれてターンテーブルに装着される、いわゆるスロットイン型のディスクドライブ装置がある。このスロットイン型ディスクドライブ装置には、次のようなタイプのものがある。その１は、ディスク挿脱口の近傍に、挿入される光学ディスクの主面又は外径を挟んで搬送する搬送ローラや支持突起が対向設置されたローラユニットを有するタイプである。その２は、薄板の揺動体を組み合わせて揺動体ユニットを形成し、その揺動体ユニットで光学ディスクを移動させてディスク装着部まで搬送するタイプである。
【０００６】
これらのスロットイン型ディスクドライブ装置においては、後者の揺動体ユニットを用いたスロットイン型ディスクドライブ装置においては、揺動体ユニットが薄い板金を組み合わせた構成であるため、前者のローラユニットタイプのスロットイン型ディスクドライブ装置に比べて、ディスクドライブ装置の薄型化に適するという特徴を持っている。
【０００７】
また、従来の、この種のディスクドライブ装置としては、例えば、特許文献１に記載されているようなものがある。特許文献１に記載されたディスクドライブ装置は、「前面に光学ディスクが挿脱されるディスク挿脱口が設けられた筐体と、ディスク挿脱口から筐体の内部に挿入された光学ディスクが装着されるディスク装着部と、このディスク装着部に装着された光学ディスクを回転駆動するディスク回転駆動機構と、このディスク回転駆動機構により回転駆動される光学ディスクに対して信号の書き込み及び／又は読み出しを行う光学ピックアップと、この光学ピックアップを光学ディスクの内外周に亘って送り動作させるピックアップ送り機構とを有し、これらがベースに一体に設けられたベースユニットと、ディスク挿脱口から光学ディスクが挿脱されるディスク挿脱位置と、ディスク装着部に光学ディスクが装着されるディスク装着位置との間で光学ディスクの搬送を行うディスク搬送機構とを備えている。ディスク搬送機構は、筐体のディスク装着部と対向する主面とディスク挿脱口から挿入された光学ディスクの主面との間で移動操作される複数のサポート部材を有し、複数のサポート部材は、ディスク挿脱口から挿入された光学ディスクの外周部と当接可能な当接部を有し、これら当接部により光学ディスクの外周部を挟み込みながら、光学ディスクをディスク挿脱口から筐体の外部へと排出するイジェクト動作とのうち、少なくとも１つの動作を行う」ことを特徴としている。
【０００８】
このような構成を有するディスクドライブ装置によれば、「ディスク挿脱口から挿入された光学ディスクとベースとの間のクリアランスの影響を受けることなく、複数のサポート部材によって光学ディスクのローディング動作、センタリング動作、又はイジェクト動作を適切且つ安定的に行うことが可能であり、スロットイン型のディスクドライブ装置として、装置全体の更なる小型軽量薄型化が可能である。」という効果が期待される。
【０００９】
更に、従来のディスクドライブ装置の他の例としては、例えば、特許文献２に記載されているようなものもある。特許文献２に記載されたディスク装置は、「ディスクを回転駆動するスピンドルモータと、そのスピンドルモータを支持するベース体と、そのベース体の両側に延在してベース体を支持し、ディスク面の方向に往復移動することによりベース体をディスク面に垂直な方向に昇降せしめる一対のスライド部材と、ディスク面の方向に揺動し、操作者によって供給されたディスクの中心をスピンドルモータの中心位置まで引き込む第１の揺動体と、ディスク面の方向に揺動し、ディスクの中心をスピンドルモータの中心位置から操作者によって取り出す位置まで排出する第２の揺動体と、を具備している。一対のスライド部材は、第１の揺動体に引き込み動作をさせる第１のスライド部材と、第２の揺動体に排出動作をさせる第２のスライド部材とからなり、スピンドルモータ、ベース体、第１のスライド部材、第２のスライド部材、第１の揺動体、及び第２の揺動体は、ディスクの片面側に配置されている」ことを特徴としている。
【００１０】
このような構成を有するディスク装置によれば、「ローラを使用しないディスク搬送手段であるためディスク装置の巾を小さくすることができる」等の効果が期待される。
【特許文献１】特開２００５−１９０６４５号公報
【特許文献２】特開２００２−１１７６０４号公報
【００１１】
ところで、一般的に、ＩＴ(Information Technology)向けディスクドライブ装置には、パーソナルコンピュータ（以下「パソコン」という。）やゲーム機器等のホスト機器の装置筐体に設けられたドライブベイに設置され、ホスト機器側から駆動電源が供給されてホスト機器と一体に用いられるものがある。このようなホスト機器のうち、例えば、ノート型パソコン等の携帯可能なホスト機器においては、更なる小型化、軽量化、薄型化が求められており、それに伴って、かかるホスト機器に搭載されるディスクドライブ装置にも小型化、軽量化、薄型化の要求が高くなっている。
【００１２】
更に、情報記録及び／又は再生装置の一具体例を示すＤＶＤ録画再生機（デジタルビデオディスクレコーダ）やＴＶ(Television)等のＡＶ(Audio Visual)機器においても、薄型化、コンパクト化に伴い、内蔵されるディスクドライブ装置の小型化、軽量化、薄型化への要求が高まっている。
【００１３】
また、ディスク状記録媒体に関しても、光学ディスクの規格や記録容量等に応じて、例えば、直径１２ｃｍの標準的な光ディスクに加え、カメラ一体型ビデオディスクレコーダ（以下「カムコーダ」という。）等に用いられる直径８ｃｍの光ディスクといった外径の異なる各種の光学ディスクが提供されている。これらの事情により、パソコンやＡＶ用ディスク録画再生機等に搭載されるディスクドライブ装置においては、何れのサイズの光学ディスクにも対応できることが要求されている。
【００１４】
これらの要求に対して、例えば、前述した特許文献１及び２に記載されたディスクドライブ装置では、いずれの場合においても、操作者が光学ディスクをある程度まで装置筐体の奥まで挿入したところで、ディスクドライブ装置の内部機構が動き出し、光学ディスクを装置筐体の内部へと引き入れる。そして、光学ディスクをターンテーブルに装着した後、光学ピックアップを動作させて情報信号の記録や再生を行うようになっている。
【００１５】
ところが、薄型のスロットイン型ディスクドライブ装置では、薄型の要請から本質的に、ターンテーブルに装着された光学ディスクの表面と、その光学ディスクの引き込み等に使用される機構を構成する部品との間に、高さ方向の隙間を十分に大きく確保することができず、これとは逆に、その隙間を一層少なく（厳しく）設定する必要があった。しかも、部品精度のバラツキによる隙間の変化量についても、厳しく押える必要があった。仮に、光学ディスクと機構部品との間の隙間がなくなると、回転駆動される光学ディスクと機構部品が高さ方向で接触することになり、異常音を発生すると共に、光学ディスクの表面に傷が付くおそれがある。
【００１６】
また、薄型のスロットイン型ディスクドライブ装置は、その構造上から、薄型の実現には、部品自体の精度に頼るところが大きかった。そのため、寸法公差の限界部品同士を使用して組み立てた場合等には、ターンテーブル装着後の光学ディスクと周囲の部品との間の隙間が狭くなり過ぎて、ディスク高さと周囲部品との間に設計の目論見通りの隙間を確保することができないことがあった。
【発明の開示】
【発明が解決しようとする課題】
【００１７】
解決しようとする問題点は、従来の薄型のディスクドライブ装置においては、ターンテーブル装着後の光学ディスクの表面と、その光学ディスクの引き込み等に使用される機構を構成する部品等との間に十分に大きな隙間を確保することができず、回転駆動される光学ディスクと周囲の機構部品等が接触して異常音を発生したり、光学ディスクの表面が傷付けられるおそれがある、という点である。特に、ディスク面に対し垂直方向の振れを持つ面振れディスクに対しては隙間を確保することが一層難しく、薄型のディスクドライブにおいては、更に不利な点である。
【課題を解決するための手段】
【００１８】
本出願のディスクドライブ装置は、筐体とディスク搬送機構と回転駆動機構と光学ピックアップとピックアップ移動機構とベース部材とベース移動機構と姿勢調整機構とを有している。筐体には、ディスク状記録媒体が挿入及び／又は排出されるディスク挿脱口を前面に設けている。ディスク搬送機構は、筐体のディスク挿脱口の外側のディスク排出位置とディスク挿脱口の内側のディスク装着位置との間にディスク状記録媒体を搬送する。回転駆動機構は、ディスク装着位置に搬送されたディスク状記録媒体に着脱可能に装着されるディスク装着部を有し、そのディスク装着部を回転駆動することによりディスク状記録媒体を回転させる。光学ピックアップは、ディスク装着部に装着されて回転されるディスク状記録媒体に対して情報信号の記録及び／又は再生を行う。ピックアップ移動機構は、光学ピックアップをディスク状記録媒体の情報記録面に沿って移動させる。ベース部材は、回転駆動機構と光学ピックアップとピックアップ駆動機構が搭載される。ベース移動機構は、ベース部材を姿勢変更可能に支持し、そのベース部材の姿勢を変更することによりディスク状記録媒体に対してディスク装着部を装着又は離脱させる。姿勢調整機構は、筐体に対するベース部材の姿勢を調整可能である。さらに、ベース移動機構は、筐体に対して傾き角を変更可能に支持されたベース部材と、ベース部材の自由端側において側方へ突出するように設けたカムピンと、筐体に移動可能に支持されると共にカムピンが摺動可能に係合されるカム溝を有するスライド部材と、を具えている。そして、スライド部材を移動することによりカムピンを移動させてベース部材の姿勢を変更させる。
【００１９】
また、本出願の情報記録及び／又は再生装置は、ディスクドライブ装置と装置筐体を備えて構成されている。ディスクドライブ装置は、ディスク状記録媒体が着脱可能に装着されると共に装着されたディスク状記録媒体に対して情報信号の記録及び／又は再生を行う。装置筐体には、ディスクドライブ装置が収納される。ディスクドライブ装置は、筐体とディスク搬送機構と回転駆動機構と光学ピックアップとピックアップ移動機構とベース部材とベース移動機構と姿勢調整機構とを有している。ベース移動機構は、ベース部材とカムピンとスライド部材とを具えており、スライド部材を移動することによりカムピンを移動させてベース部材の姿勢を変更させる。これらを設けることにより本出願の情報記録及び／又は再生装置が構成されている。
【００２０】
ディスクドライブ装置の組立後、姿勢調整機構で筐体に対するベース部材の姿勢を調整することにより、ドライブユニットのディスク装着部に装着された光学ディスクの高さを最適な位置に調整することができる。
【発明の効果】
【００２１】
本出願のディスクドライブ装置及び情報記録及び／又は再生装置によれば、寸法公差の限界部品同士を使用して組み立てたような場合において、ディスク装着部に装着された光学ディスクと周囲の機構部品等との高さの関係が許容される所定範囲から外れ、一面側に大きな隙間ができて他面側の隙間が狭くなってしまったときにも、組立後に、光学ディスクの高さを最適な位置に調整することができる。このような高さ調整を行うことにより、光学ディスクと周囲の部品との接触を回避することができ、光学ディスクからの異常音の発生や光学ディスクの表面が傷付けられるのを防止し、信頼性の高いディスクドライブ装置及び情報記録及び／又は再生装置を提供することができる。
【００２２】
特に、規格上限の厚さを有する厚い光学ディスクや規格上限の面振れを持つ光学ディスクについては、組立時に、ディスク表面と周囲の部品との隙間を所定の範囲内の関係に確保することが困難になるが、本発明によれば、組立後の高さ調整が可能であるため、ディスク表面と周囲の部品との隙間を所定の範囲内に容易に設定することができる。しかも、本発明は、直径の異なる複数の光学ディスクに対しても適用できるものである。
【発明を実施するための最良の形態】
【００２３】
筐体に対するベース部材の姿勢を調整可能な姿勢調整機構を設けることにより、ディスク状記録媒体と周囲の部品との接触を回避し、異常音の発生やディスク記録媒体が傷付けられるのを防止できる信頼性の高いディスクドライブ装置及び情報記録及び／又は再生装置を、簡単な構造によって実現した。
【実施例１】
【００２４】
図１〜図３０は、本発明の実施の形態の例を示すものである。即ち、図１は本発明の情報記録及び／又は再生装置の第１の実施の例を示す図、図２〜図４は本発明のディスクドライブ装置に係る筐体を示す図、図５〜図７は本発明のディスクドライブ装置の第１の実施の例の内部機構を示す図、図８〜図１０はベース部材と回転駆動機構等を示す図、図１１〜図１５は光学ピックアップとフレキシブル配線板を示す図、図１６及び図１７はドライブユニットとフレキシブル配線板を示す図、図１８〜図２３は本発明の姿勢調整機構の第１の実施の例を示す図、図２４〜図３０は本発明の姿勢調整機構の他の実施の例を示す図である。
【００２５】
まず、図１を参照して、本発明のディスクドライブ装置を用いた情報記録及び／又は再生装置の第１の実施の例を説明する。図１に示すノート型パーソナルコンピュータ（以下「ノート型パソコン」という。）１は、本発明の情報記録及び／又は再生装置の第１の実施の例を示すものであり、スロットイン型のディスクドライブ装置１０が搭載されている。ノート型パソコン１は、長方形で薄い偏平の中空体からなる装置筐体２と、同じく長方形で薄い偏平の中空体からなる蓋体３を有している。装置筐体２と蓋体３は、幅方向の一側において図示しないヒンジ部によって回動自在に連結されており、図１に示すように蓋体３を開いた状態と、図示しないが、装置筐体２に蓋体３を重ね合わせた状態と、両状態間の任意の位置においてその姿勢を保持した状態との任意の姿勢を維持できるように構成されている。
【００２６】
蓋体３の内面には、周囲にわずかな縁取りを残して開口部４が設けられている。蓋体３の開口部４には、蓋体３内に収納された液晶ディスプレイや有機ＥＬディスプレイ、表面電界ディスプレイ等の表示装置５の表示面が臨まれている。また、装置筐体２の上面であって蓋体３と対向する面には、多数のキーの組み合わせからなる入力操作を行うための入力操作部６が設けられている。この装置筐体２には、図示しないが制御装置が内蔵されている。更に、装置筐体２には、本発明に係るディスクドライブ装置の第１の実施の例を示すディスクドライブ装置１０が収納されている。このディスクドライブ装置１０は、装置筐体２の一方の側面２ａに開口された開口部に前面を臨ませると共に、その前面が装置筐体２の表面と略同一面となるように取り付けられている。
【００２７】
本発明に係る情報記録及び／又は再生装置としては、この実施例で示すノート型パソコン１に限定されるものではなく、デスクトップ型パーソナルコンピュータに適用できることは勿論のこと、その他にも、ディスク状記録媒体を用いて情報信号の記録又は再生を行うことができる装置、或いは記録と再生の両方を行うことができる各種の情報記録及び／又は再生装置に適用できるものである。
【００２８】
このような情報記録及び／又は再生装置としては、例えば、光ディスク式記録装置、光ディスク式再生装置、光ディスク式撮像装置、光磁気ディスク式撮像装置、光磁気ディスク式記録装置、光磁気ディスク式再生装置等を挙げることができる。これらの場合において、使用されるディスク状記録媒体の大きさは、例えば、直径が１２ｃｍのものや直径が８ｃｍのもの等のように各種の大きさのものを適用できると共に、直径が異なる複数の光学ディスクを用いることができることは勿論である。
【００２９】
図１に示すディスクドライブ装置１０は、例えば、厚さが１２．７ｍｍ程度にまで薄型化された構造を有するスロットイン型ディスクドライブ装置である。このディスクドライブ装置１０がノート型パソコン１に搭載されることにより、そのノート型パソコン１と一体となって駆動されて、ＣＤやＤＶＤ等のディスク状記録媒体である光学ディスク７に対して情報信号の記録又は再生、或いは記録と再生の両方を行うことができる。なお、本発明に係るディスク状記録媒体としては、再生専用のＣＤ、ＣＤ−ＲＯＭ、ＤＶＤ−ＲＯＭ等の光ディスクは勿論のこと、１回の記録或いは何度でも記録が可能なＣＤ−ＲＷ、ＤＶＤ−Ｒ、ＤＶＤ−ＲＷ等の光ディスクのように各種の光学ディスクを適用することができる。
【００３０】
ディスクドライブ装置１０は、装置本体の外筐となる筐体１１と、この筐体１１内に収納されたドライブユニット１２等を備えている。図２〜図４に示すように、筐体１１は、上面と正面に開口された薄い箱状のケース本体１４と、このケース本体１４の上面の開口部を覆うケース蓋体１５とを有している。ケース本体１４は、板金によって形成された容器体からなり、その底面部１４ａは略矩形状をなしている。このケース本体１４の長手方向と交差する幅方向の一側には、底面部１４ａよりも底上げされて外側へと張り出したデッキ部１４ｂが設けられている。
【００３１】
ケース本体１４の底面部１４ａには、図５〜図７に示すように、後述する各種の装置や機構等の駆動を制御する駆動制御部と、この駆動制御部の一部を覆うサブシャーシ１６が配置されている。駆動制御部は、所定の配線回路が形成された回路基板１７を有しており、その回路基板１７には、ＩＣチップ等の電子部品や、各部の電気的な接続を図るためのコネクタ１８及び、各部の動作を検出するための検出スイッチ等が取り付けられている。このうち、コネクタ１８は、ケース本体１４の背面部に設けた開口部に対向されており、そのコネクタ１８に対して外部から接続・離脱が可能とされている。
【００３２】
この回路基板１７が、ねじ止め等によってケース本体１４の底面部１４ａに取り付けられている。そして、駆動制御部の上方において、ケース本体１４の内部をデッキ部１４ｂと略同等の高さで上下に仕切るようにサブシャーシ１６が配置され、そのサブシャーシ１６がねじ止め等によって底面部１４ａに固定されている。
【００３３】
ケース蓋体１５は、ケース本体１４の平面形状に対応した形状を有し、比較的薄い板金によって形成されている。ケース蓋体１５の、ケース本体１４の前面開口部に対応する辺を除く３辺には、ケース本体１４の両側面及び背面に沿って僅かに折り曲げられて形成された折曲部１５ａが設けられている。ケース蓋体１５のケース本体１４への組立時、３辺の折曲部１５ａがケース本体１４の両側面及び背面の各上部に重ね合わされて嵌合状態になる。
【００３４】
ケース蓋体１５の略中央部には、略円形をなす開口部１９が設けられている。更に、ケース蓋体１５の外縁部には、固定ねじを貫通させる複数（本実施例では３箇所）の貫通孔２１が設けられている。これらの貫通孔２１に対応して、ケース本体１４の対応する位置にはねじ孔を有する固定片が設けられている。これらの貫通孔２１を貫通してねじ孔に螺合される固定ねじにより、ケース蓋体１５がケース本体１４に対して着脱可能に取り付けられて締め付け固定されている。このケース本体１４とケース蓋体１５からなる筐体１１の前面にフロントパネル２２が取り付けられ、その前面に形成された開口部２３がフロントパネル２２によって塞がれている。
【００３５】
図２０Ａ及びＢに示すように、フロントパネル２２は、開口部２３を含む筐体１１の前面の全体を塞ぐことができる大きさを有する細長い板状の部材からなっている。このフロントパネル２２の幅方向の一側には、長手方向に延在されたディスク挿脱口２４が設けられている。このディスク挿脱口２４の大きさ（長さ及び幅）は、使用される光学ディスク７の直径及び厚さよりも少し大きいものである。直径の異なる複数の光学ディスク７を使用することができる場合には、ディスク挿脱口２４の長さは、最も大きな直径を有する光学ディスクのその直径よりも少し大きいものである。
【００３６】
このディスク挿脱口２４から光学ディスク７が筐体１１内に挿入され、また、このディスク挿脱口２４から光学ディスク７が筐体１１外に排出される。更に、フロントパネル２２のディスク挿脱口２４の内側には、外から筐体１１内に塵埃等が入るのを防止するパネルカーテン２５が設けられている。パネルカーテン２５は、ディスク挿脱口２４の幅方向の両側に配置された可撓性を有する柔軟な一対のフィルム部材（或いはシート部材）からなっている。このパネルカーテン２５は、光学ディスク７が通過していないときには、図２０Ａに示すように、ディスク挿脱口２４の全体を覆って塵埃等の通過を阻止している。一方、光学ディスク７がディスク挿脱口２４を通過するときには、図２０Ｂに示すように、光学ディスク７が移動する側に弾性的に折り曲げられ、光学ディスク７の通過を許容するが、塵埃等の侵入を阻止している。
【００３７】
更に、フロントパネル２２の前面には、図１に示すように、筐体１１内に挿入されている光学ディスク７を排出する際に押圧されるイジェクトボタン２８が設けられている。この筐体１１内に、ディスク挿脱口２４の内側のディスク装着位置とディスク挿脱口２４の外側のディスク排出位置との間に光学ディスク７を搬送するディスク搬送機構３０が設けられている。即ち、ディスク搬送機構３０は、ディスク挿脱口２４から挿入された光学ディスク７を保持してディスク装着部２６のあるディスク装着位置まで搬送する。また、ディスク装着部２６にある光学ディスク７を保持して搬送し、ディスク挿脱口２４から光学ディスク７の先部を所定量だけ突出させるようにディスク排出位置まで搬送する。
【００３８】
図５〜図７に示すように、ディスク搬送機構３０は、ケース蓋体１５のディスク装着部２６と対向する主面と、ディスク挿脱口２４から挿入された光学ディスク７の主面との間で移動操作されるサポート部材として２つの回動アーム３１，３２を有している。第１の回動アーム３１及び第２の回動アーム３２は、それぞれ長尺状の板金からなり、筐体１１の略中央部に配置されるディスク装着部２６を挟んで左右方向の両側に配置されている。更に、第１の回動アーム３１及び第２の回動アーム３２は、ディスク装着部２６よりも背面側に位置する基端部３１ａ，３２ａにおいて、サブシャーシ１６に設けた支持軸を介して回動可能に支持されている。これにより、第１の回動アーム３１及び第２の回動アーム３２の各先端部３１ｂ，３２ｂがディスク装着部２６よりも前面側に位置し、それぞれの先端部３１ｂ，３２ｂがディスク挿脱口２４の内側に臨んでいる。
【００３９】
また、第１の回動アーム３１及び第２の回動アーム３２の各先端部３１ｂ，３２ｂには、挿入された光学ディスク７の外周部に当接される前面側当接部材がそれぞれ設けられている。更に、第１の回動アーム３１の基端部３１ａには、光学ディスク７をディスク装着位置に位置決めする際に、前面側当接部材と共に光学ディスク７の外周部に当接される背面側当接部材が設けられている。これらの当接部材は、それぞれ下方に向って突出するように設けられている。前面側当接部材及び背面側当接部材は、光学ディスク７よりも柔らかい樹脂によって形成されている。そして、光学ディスク７の滑りを防ぐ等を目的として、各当接部材は中央部の軸径を両外側の軸径よりも細くして鼓状に形成されている。
【００４０】
これら第１の回動アーム３１及び第２の回動アーム３２は、図示しない連動機構により連動して、互いに逆方向へ回動可能に構成されている。即ち、第１の回動アーム３１の先端部３１ｂと第２の回動アーム３２の先端部３２ｂは、連動機構によって互いに接近し又は離反する方向へ揺動可能となっている。更に、第１の回動アーム３１及び第２の回動アーム３２の各基端部３１ａ，３２ａには、図示しないが、両回動アーム３１，３２を互いに接近する方向へ付勢する付勢部材である捩りコイルばねが設けられている。
【００４１】
また、ディスク搬送機構３０は、光学ディスク７をディスク挿脱口２４から筐体１１内へ引き込むローディング動作を補助するための第３の回動アーム３３を有している。第３の回動アーム３３は、長尺状の板金からなり、第１の回動アーム３１の先端部３１ｂよりも少し前面側に配置されている。第３の回動アーム３３は、その基端部３３ａが、ケース本体１４のデッキ部１４ｂ上に設けられた支軸によって回動可能に支持されている。第３の回動アーム３３の先端部３３ｂには、ディスク挿脱口２４から挿入された光学ディスク７の外周部の前面側に当接される第３の当接部材が回動可能に設けられている。第３の当接部材は、上方に向かって突出するように支持されている。
【００４２】
更に、ディスク搬送機構３０は、光学ディスク７をディスク挿脱口２４から筐体１１の外へと排出するイジェクト動作を補助するための第４の回動アーム３４を有している。第４の回動アーム３４は、長尺状の板金からなり、その基端部３４ａが、第１の回動アーム３１の中間部に回動可能に支持されている。第４の回動アーム３４の先端部３４ｂには、ディスク挿脱口２４から挿入された光学ディスク７の外周部の背面側に当接される第４の当接部材が回動可能に設けられている。第４の当接部材は、上方に向かって突出するように支持されている。
【００４３】
第３の当接部材及び第４の当接部材は、光学ディスク７よりも柔らかい樹脂によって形成されている。そして、光学ディスク７の滑りを防ぐ等を目的として、各当接部材は中央部の軸径を両外側の軸径よりも細くして鼓状に形成されている。
【００４４】
また、ディスク搬送機構３０は、第１から第４までの４つの回動アーム３１，３２，３３，３４を協働させるための駆動レバー７７を有している。図６及び図８に示すように、駆動レバー７７は、偏平な板状の部材からなり、ケース本体１４の底面部１４ａにおいて、前後方向へ所定範囲内で移動可能に保持されている。この駆動レバー７７は、ディスク挿脱口２４から筐体１１の内部に挿入される光学ディスク７よりも下方に位置しており、その上面部がデッキ部１４ｂの底面部と略一致した高さとなっている。そして、駆動レバー７７は、ケース本体１４の底面部１４ａに設けた図示しないレバー駆動機構（駆動モータとギア群等からなる。）によって前後方向へスライド駆動される。
【００４５】
この駆動レバー７７が前後方向へスライドすることにより、第１の回動アーム３１と第２の回動アーム３２が、連動機構を介して互いに逆方向に回動操作される。これと同時に、第３の回動アーム３３と第４の回動アーム３４が、同じく連動して回動操作される。これにより、第１の回動アーム３１と第２の回動アーム３２と第３の回動アーム３３と第４の回動アーム３４が互いに協働しながら動作して、ローディング動作とセンタリング動作とイジェクト動作が実行される。
【００４６】
ローディング動作は、光学ディスク７をディスク挿脱口２４から筐体１１の内部へと引き込む動作である。センタリング動作は、筐体１１の内部に引き込んだ光学ディスク７をディスク装着部２６のディスク装着位置に位置決めする動作である。また、イジェクト動作は、操作者によるイジェクトボタン２８の押圧操作に基づいて、光学ディスク７をディスク挿脱口２４から筐体１１の外部へと排出する動作である。
【００４７】
次に、ディスク搬送機構３０による光学ディスク７の搬送動作を説明する。図５は、大径ディスク７Ｌ又は小径ディスク７Ｓを、ディスク挿脱口２４から筐体１１内に挿入する状態（ディスク挿脱口２４から筐体１１外に排出状態も同様である。）を示している。この実施例では、ディスク挿脱口２４から外径の異なる光学ディスク７（例えば、大径ディスク７Ｌと小径ディスク７Ｓ）が挿入された場合にも、その光学ディスク７の大きさに応じて、それぞれの外周縁を保持してディスク装着位置まで搬送できるようになっている。
【００４８】
図５及び図２０Ｂに示すように、ディスク挿脱口２４から光学ディスク７が挿入されると、図示しない検出スイッチにより、所定位置において光学ディスク７が挿入されたことが検出される。これにより、ディスク搬送機構３０の動作が開始され、第１〜第４の回動アーム３１〜３４の４本の回動アームの作動を介して、４つの当接部に保持されて光学ディスク７がディスク装着位置まで搬送される。図６は、大径ディスク７Ｌがディスク装着位置に搬送された状態を示している。また、図７は、小径ディスク７Ｓがディスク装着位置に搬送された状態を示している。これらのディスク装着位置において、後述するベース移動機構８３の作動により、大径ディスク７Ｌ又は小径ディスク７Ｓが、ディスク装着部であるターンテーブル４８にチャッキングされる。
【００４９】
一方、操作者がイジェクトボタン２８を押圧すると、ターンテーブル４８による大径ディスク７Ｌ又は小径ディスク７Ｓのチャッキングが解除される。これと共に、ディスク搬送機構３０の逆動作が開始され、第１〜第４の回動アーム３１〜３４の４本の回動アームの作動を介して、４つの当接部に保持されて光学ディスク７が、図６又は図７に示すディスク装着位置から図５に示すディスク排出位置まで搬送される。
【００５０】
ドライブユニット１２は、図８〜図１０に示すように、ベース部材４０と回転駆動機構４１と光学ピックアップ４２とピックアップ移動機構４３等を備えて構成されている。回転駆動機構４１は、ディスク装着部となるターンテーブル４８を有し、ディスク搬送機構３０により搬送されてきた光学ディスク７を、そのターンテーブル４８に装着して所定速度で回転駆動する（例えば、線速度一定）。光学ピックアップ４２は、ターンテーブル４８に装着されて回転駆動される光学ディスク７に対して、その情報記録面に光ビームを照射して新たに情報を書き込み、或いは、照射した光ビームの反射光を読み込むことにより、予め情報記録面に記録されている情報を読み出す。
【００５１】
また、ピックアップ移動機構４３は、光学ピックアップ４２を、ターンテーブル４８に装着されて回転駆動される光学ディスク７の情報記録面に沿って半径方向外側へ移動させる。この半径方向外側への移動時に、光学ピックアップ４２による情報信号の記録及び／又は再生操作が実行される。ベース部材４０は、これら回転駆動機構４１と光学ピックアップ４２とピックアップ移動機構４３が搭載されるものであり、筐体１１内において、その筐体１１に姿勢変更可能に取り付けられている。
【００５２】
ベース部材４０は、板金を所定の形状に打ち抜き、その周囲を僅かに下方へ折り曲げることによって形成されている。図１０に示すように、ベース部材４０の平面形状は、長方形の４つの角部に大きな面取り部を設けると共に、内側に大きな開口部４６を設け、全体として横長の略八角形をなす枠体とされている。開口部４６は、光学ピックアップ４２の上部を露出させるピックアップ用開口部４６ａと、回転駆動機構４１のターンテーブルを上方へ臨ませるテーブル用開口部４６ｂを有している。ピックアップ用開口部４６ａは、光学ピックアップ４２の上部全体を露出させるように大きく略矩形に形成されており、その長手方向の一側に略半円形をなすテーブル用開口部４６ｂが配置されている。
【００５３】
テーブル用開口部４６ｂには、回転駆動機構４１が配置されている。回転駆動機構４１は、図１０及び図２０Ａ，Ｂに示すように、光学ディスク７が着脱可能に装着されるターンテーブル４８を有するスピンドルモータ４７と、このスピンドルモータ４７を固定してベース部材４０に支持する支持プレート４９を有している。ターンテーブル４８は、スピンドルモータ４７の回転部に装着されて一体的に設けられており、支持プレート４９に固定された固定部４７ａによって回転自在に支持されている。このターンテーブル４８の載置部４８ｂが、ベース部材４０のテーブル用開口部４６ｂから僅かに上方へ突出するように、スピンドルモータ４７を支持する支持プレート４９がベース部材４０の下面にねじ止めされて取り付けられている。
【００５４】
ターンテーブル４８は、光学ディスク７の中心穴７ａに嵌合される円柱状の凸部からなる嵌合部４８ａと、光学ディスク７の中心穴７ａの周縁部が載置される載置部４８ｂを有している。嵌合部４８ａと載置部４８ｂは一体に形成されており、載置部４８ｂには、光学ディスク７との接触を和らげるリング状のクッション材５２が取り付けられている。嵌合部４８ａには、光学ディスク７の中心穴７ａに係合される複数（本実施例では３個）の係止爪５３が周方向へ等間隔に配置されている。各係止爪５３は、図示しないコイルばね等の弾性部材により付勢され、各先端部が嵌合部４８ａの外周面から半径方向外側へ突出されている。これらの係止爪５３がチャッキング機構をなしており、すべての係止爪５３を中心穴７ａに係合することにより、光学ディスク７がターンテーブル４８上に保持される。
【００５５】
この回転駆動機構４１に対して、光学ピックアップ４２が所定の範囲内で接近及び離反可能に構成されている。光学ピックアップ４２は、光ビームを出射する光源となる半導体レーザと、戻りの光ビームを受光する受光素子等からなる光検出器を有している。この光学ピックアップ４２は、半導体レーザから光ビームを出射し、その光ビームを対物レンズ５５により集光して光学ディスク７の情報記録面に照射すると共に、その情報記録面で反射された戻りの光ビームを光検出器で受光する。これにより、光学ディスク７に対する情報信号の書き込み又は読み出しを行うことができる。
【００５６】
また、光学ピックアップ４２は、対物レンズ５５を光軸方向（以下「フォーカシング方向」という。）と、光学ディスク７の記録トラックと直交する方向（以下「トラッキング方向」という。）に変位駆動する２軸アクチュエータ等の対物レンズ駆動機構５６を有している。この対物レンズ駆動機構５６が、光検出器により検出された光学ディスク７からの検出信号に基づいて対物レンズ５５をフォーカシング方向及びトラッキング方向に変位させながら、情報記録面上に対物レンズ５５の焦点を合わせる。これにより、対物レンズ５５の焦点を情報記録面上に合わせるフォーカスサーボや、対物レンズ５５により集光される光ビームのスポットを記録トラックに追従させるトラッキングサーボ等の駆動制御が実行される。この光学ピックアップ４２が、ピックアップ移動機構４３を介してベース部材４０に搭載され、ターンテーブル４８に対して所定の範囲内で接近及び離反可能とされている。
【００５７】
ピックアップ移動機構４３は、ピックアップベース６１と一対のガイド軸６２，６３と送りねじ軸６４と駆動モータ６５を有している。ピックアップベース６１は、２軸アクチュエータや光検出器等が収納される偏平なブロック状の部材からなり、一対のガイド軸６２，６３によって移動可能に支持されている。一対のガイド軸６２，６３は、ベース部材４０の下面においてターンテーブル４８の一側に、互いに所定の間隔をあけて略平行となるように配置されている。そして、一対のガイド軸６２，６３は、ベース部材４０の４箇所において、それぞれ軸受部によって両端支持されている。各軸受部は、ベース部材４０に設けた軸受片と別部材の押え板からなり、押え板をねじ止めして軸受片との間で挟持することにより、一対のガイド軸６２，６３がベース部材４０に締付固定されている。
【００５８】
ピックアップベース６１は、一対のガイド軸６２，６３の軸方向と直交する両外側に突出する第１の軸受部６６と第２の軸受部６７を有している。第１の軸受部６６は、第１のガイド軸６２が摺動可能に挿通される軸受穴を有する前側軸受部６６ａと後側軸受部６６ｂからなっている。前後の軸受部６６ａ，６６ｂは、第１のガイド軸６２の軸方向へ所定の間隔をあけて同一平面上に配置されている。この前後の軸受部６６ａ，６６ｂ間に、送りねじ軸６４のねじ溝に係合部を有するラック６８が配置されている。このラック６８は、固定ねじ６９によってピックアップベース６１にねじ止めされている。
【００５９】
第２の軸受部６７には、側方に開口するガイド溝が設けられている。このガイド溝に、第２のガイド軸６３が摺動可能に挿通されている。この第２の軸受部６７を貫通する第２のガイド軸６３と、第１の軸受部６６の前後の軸受部６６ａ，６６ｂを貫通する第１のガイド軸６２によって、ピックアップベース６１がスライド可能に支持されている。送りねじ軸６４は、第１のガイド軸６２との間に所定の間隔をあけて略平行に配置されている。送りねじ軸６４は、駆動モータ６５の回転軸となっており、その駆動モータ６５が図示しない取付ブラケットにより、ベース部材４０に固定されている。取付ブラケット６９には、送りねじ軸６４の先端側が回動自在に支持されている。この取付ブラケット６９がベース部材４０にねじ止めされており、これにより、送りねじ軸６４と駆動モータ６５がベース部材４０に取り付けられている。
【００６０】
ピックアップベース６１には、図１１〜図１４に示すように、フレキシブル配線板１１１の一端が連結されている。このフレキシブル配線板１１１は、ベース部材４０に保持されている光学ピックアップ４２をディスクドライブ装置１０の外部にある図示しない電源側コネクタと電気的に接続するもので、可撓性を有する柔軟性に富んだ配線部材である。フレキシブル配線板１１１は、ピックアップベース６１に取り付けられる第１の接続部１１１ａと、電源側コネクタに接続される第２の接続部１１１ｂを有している。第１の接続部１１１ａと第２の接続部１１１ｂは、所定の角度をあけて二方向へ突出するように二股状に形成されており、両者が連続する基部１１１ｃは十分に大きな平面部として形成されている。
【００６１】
フレキシブル配線板１１１には多数の配線回路を有する配線回路群１１３が形成されており、各配線回路が第１の接続部１１１ａから第２の接続部１１１ｂまでそれぞれ連続されている。配線回路群１１３の各配線回路は、基部１１１ｃにおいて幅広とされていて、第１の接続部１１１ａ及び第２の接続部１１１ｂの各先端に向かうに伴って逐次的に幅狭に形成されている。更に、基部１１１ｃには、その一部を内側に張り出すことによって張出し部１１１ｄを設けている。張出し部１１１ｄの主な目的は、ピックアップベースが内外周へ移動する際に、フレキシブル配線板の浮きによる絡まり防止のためである。張出し部１１１ｄの内部には、配線回路を形成する材料と同一であるが、配線回路を形成するものではない捨てランド１１４を設けている。
【００６２】
捨てランド１１４は、薄型スロットドライブ装置では、衝撃などの外力などによりベースユニットがケース底面側に下がったときに、まずこの捨てランドの部分に光ピックアップの第２の軸受け部６７が接触するため、予め捨てランドとし、外力による被害を最小に抑えることを目的とするものである。また、捨てランド１１４は、基部１１１ｃにおける曲げ力に対する強度を向上させ、曲げ位置が移動する際に生ずる応力を負担して、基部１１１ｃを通る配線回路群１１３に応力が大きく作用するのを防止する効果もある。ディスクドライブ装置１０が筐体１１に組み立てられるとき、図１５〜図１７に示すように、フレキシブル配線板１１１は、基部１１１ｃにおいて１８０度に湾曲されると共に、光学ピックアップ４２の移動によって湾曲部の位置も移動する。しかも、ディスクドライブ装置１０が薄型であり、フレキシブル配線板１１１の略全体が筐体１１の内部に収納されるため、基部１１１ｃの湾曲部における曲率半径は小さいものとなる。そのため、フレキシブル配線板１１１の湾曲部における内部応力が著しく大きなものとなっていた。
【００６３】
更に、筐体１１には、光学ディスク７が出し入れされるため、その光学ディスク７が湾曲部に衝突することがあり、その衝突時の外力によっても、湾曲部の配線回路群１１３には大きな内部応力が発生する。そのため、捨てランド１１４の無い従来のディスクドライブ装置では、光学ディスク７の衝突や湾曲部の移動等によって内部応力が極めて大きくなり、配線回路群１１３の各配線回路が断線したり、発火を生じる等の不具合を生じていた。しかしながら、この実施例のように、フレキシブル配線板１１１の基部１１１ｃに捨てランド１１４を設けて強度を向上させることにより、配線回路群１１３の断線や発火を防ぐことが可能となった。
【００６４】
また、図１１〜図１３に示すように、フレキシブル配線板１１１の第１の接続部１１１ａの先端部は二股形状となっており、これにより、端子部１１２ａと固定部１１２ｂが所定の間隔をあけて横並びに形成されている。端子部１１２ａの先端には、配線回路群１１３の各配線回路の一端を補強的に支持するピックアップ側補強板１１５が取り付けられ、第２の接続部１１１ｂの先端には、配線回路群１１３の各配線回路の他端を補強的に支持する電源側補強板１１６が取り付けられている。この電源側補強板１１６を介して配線回路群１１３の電源側が、図示しない電源側のコネクタに着脱可能に接続される。そして、ピックアップ側補強板１１５を介して配線回路群１１３のピックアップ側が、ピックアップベース６１の上面に搭載されているコネクタ１２１に着脱可能に接続される。
【００６５】
コネクタ１２１は、ピックアップベース６１の、回転駆動機構４１に対向する面と反対側に接続口を臨ませて取り付けられており、側方から配線回路群１１３のピックアップ側の各端子が接続可能となっている。このコネクタ１２１は、図示しないプリント配線板等を介して対物レンズ駆動機構５６や光検出器等の電子機器や電気部品等と電気的に接続されている。更に、ピックアップベース６１の上面には、アクチュエータカバー１２２とピックアップカバー１２３が取り付けられている。アクチュエータカバー１２２は、対物レンズ駆動機構５６の一部を覆うもので、対物レンズ５５を除いた部分を覆っている。ピックアップカバー１２３は、ピックアップベース６１の上面の略半分を覆っており、これにより、光学ピックアップ４２の光学系の光ビームが通過する光路内に外光が入り込まないようにしている。
【００６６】
ピックアップカバー１２３には、回転駆動機構４１に対向する面と反対側に突出する取付片１２４が設けられている。取付片１２４は、コネクタ１２１の側方に所定の間隔をあけて横並びとなるように配置されており、その高さは、コネクタ１２１の接続口と略同じ高さに設定されている。取付片１２４には、一面側に突出する円形の膨出部からなる嵌合凸部１２５が設けられている。ピックアップカバー１２３の材質としては、例えば、ステンレス鋼（ＳＵＳ）や鉄板、銅板等の金属が好適であるが、エンジニアリングプラスチック等を用いることもできる。
【００６７】
ピックアップカバー１２３上のコネクタ１２１と取付片１２４に対応してフレキシブル配線板１１１の第１の接続部１１１ａの先端に、前記端子部１１２ａと前記固定部１１２ｂが設けられている。固定部１１２ｂは、組立後における光学ピックアップ４２の移動時等において、第１の接続部１１１ａに作用する外力の全体若しくは大部分を受け持ち、端子部１１２ａに作用する外力を軽減し、或いは外力がまったく作用しないようにすることを目的として設けたものである。この固定部１１２ｂには、取付片１２４の嵌合凸部１２５が嵌合される嵌合穴１１７が設けられている（図１４Ｂ及びＣ）。嵌合穴１１７は、ピックアップ側補強板１１５が延在した方向に直交する方向に延びた長穴とされている。この嵌合穴１１７を長穴とすることにより、組立誤差等によって生じるコネクタ１２１と嵌合凸部１２５との間隔の誤差を吸収し、その誤差によって端子部１１２ａに不要な応力が作用しないようにしており、コネクタに通した後の幅方向の誤差を吸収し、フレキシブル配線板全体の回転方向の位置精度を高めることができる。
【００６８】
更に、第１の接続部１１１ａの固定部１１２ｂには、接着剤からなる接着層１１８が所定の範囲に塗布されている。この接着層１１８は、取付片１２４の一面に固定部１１２ｂを接着することにより、取付片１２４に対する固定部１１２ｂの接合強度を高めることを目的とするものである。接着層１１８は、接着剤を塗布して形成する他、例えば、両面に接着層を設けた両面テープを貼着させて設けることもできる。この接着層１１８を有する固定部１１２ｂで第１の接続部１１１ａに作用する外力の大部分を受け持つことにより、端子部１１２ａと連続する部分には大きな応力が発生することがある。そのため、この実施例では、端子部１１２ａと固定部１１２ｂが連続する部分に曲率半径の大きな円弧状の逃げ部１１９を設け、この逃げ部１１９により固定部１１２ｂの根元部分に大きな応力が発生するのを防止している。
【００６９】
図１１及び図１３Ａは、固定部１１２ｂを取付片１２４に係合すると共にピックアップ側の各接続端子をコネクタ１２１に接続させた状態を示しており、図１２及び図１３Ｂは、その接続・係合前の状態を示している。図１５Ａ，Ｂ、図１６Ａ，Ｂ及び図１７Ａ，Ｂに示すように、ディスクドライブ装置１０への組立時、フレキシブル配線板１１１は、第１の接続部１１１ａにおいて１８０度湾曲される。そして、光学ピックアップ４２が、回転駆動機構４１に最も近づいた位置（図１５Ａ、図１６Ａ及び図１７Ａに示す）と回転駆動機構４１から最も離れた位置（図１５Ｂ、図１６Ｂ及び図１７Ｂに示す）との間を移動することにより、その湾曲位置も移動する。
【００７０】
その結果、フレキシブル配線板１１１の第１の接続部１１１ａにおける応力状態が絶えず変化することになるが、第１の接続部１１１ａが固定部１１２ｂによって取付片１２４に固定され、その取付片１２４を有するピックアップカバー１２３がピックアップベース６１に固定されている。これにより、第１の接続部１１１ａの湾曲部に生じる応力の全体若しくは大部分を固定部１１２ｂで負担することができ、端子部１１２ａには湾曲部によって生じる応力がまったく作用しないか若しくは負荷される応力を小さくすることができる。そのため、端子部１１２ａの浮き上がりを防止し、高い結合強度を確保することができ、ディスクドライブ装置１０の信頼性を向上させることができる。
【００７１】
この実施例によれば、光学ピックアップ４２とフレキシブル配線板１１１をつなぐコネクタ１２１を対物レンズ５５の側方に配置したことにより、そのコネクタ１２１を、光学ピックアップ４２の最大厚みまで上方向に配置することができ（図１４Ａを参照）、光学ピックアップ４２の内部空間を広く確保することができる。その結果、光学ピックアップ４２の設計の自由度を高めることができる。これを逆に見ると、光学ピックアップ４２の内部空間の容積を小さくすることにより、光学ピックアップ４２の小型化を図ることができる。
【００７２】
また、ピックアップベース６１に固定されたピックアップカバー１２３に側方へ突出する取付片１２４を設け、その取付片１２４をコネクタ１２１の挿入口と略同じ高さ位置に設定すると共に、その取付片１２４にフレキシブル配線板１１１の固定部１１２ｂを連結したため、フレキシブル配線板１１１の結合強度を大幅に高めることができるようになった。しかも、コネクタ１２１自身による保持力に加えて、接着層１１８による接着強度が付加されたため、結合強度を一段と高めることができ、光学ピックアップ４２のシーク動作や振動・衝撃等によるフレキシブル配線板１１１の脱落を防止することができ、信頼性の高いディスクドライブ装置を提供することができる。
【００７３】
即ち、この実施例では、フレキシブル配線板１１１の光学ピックアップ４２側となる第１の接続部１１１の先端を二股に形成し、一方を電気的接続が可能な端子部１１２ａとして、他方の固定部１１２ｂに嵌合孔１７と接着層１１８を設けると共に、固定部１１２ｂと端子部１１２ａの間を曲率半径の大きな曲線で連続させる構成とした。そのため、光学ピックアップ４２に対するフレキシブル配線板１１１の浮き上がりを防止して結合強度を高め、信頼性の高いディスクドライブ装置を実現することができる。
【００７４】
図１７Ａ，Ｂに示すように、ベース部材４０の上面にはベースカバー７０が取り付けられている。このベースカバー７０は、ベース部材４０の平面形状に略対応する形状とされている。このベースカバー７０には、ターンテーブル４８と光学ピックアップ４２の対物レンズ５５を露出させるための開口部７９が設けられている。開口部７９は、光学ピックアップ４２の移動方向に延在されており、光学ピックアップ４２がターンテーブル４８から最も離れた位置からターンテーブル４８が露出されたテーブル用開口部まで連続する長穴として形成されている。このベースカバー７０が、複数個（本実施例では６個）の固定ねじ８２によってベース部材４０の上面に締付固定されている。
【００７５】
また、ベース部材４０は、第１の面取り部４５ａに設けた支持軸７１と、第２の面取り部４５ｂに設けた第１のカムピン７２と、第３の面取り部４５ｃに設けた第２のカムピン７３と、第４の面取り部４５ｄの近傍に設けた支持部７４を有している。支持軸７１と第１のカムピン７２と第２のカムピン７３は、それぞれの面取り部４５ａ，４５ｂ，４５ｃにおいて、その面に対して略垂直に突出されている。支持部７４は、ベース部材４０の一部を外側へ折り曲げるようにして一体に形成されている。また、支持軸７１は、ドライブユニット１２を筐体１１に対して回動可能に支持するための軸部であり、スピンドルモータ４７から離れた位置に配置されている。
【００７６】
第１のカムピン７２と第２のカムピン７３は、筐体１１に対してドライブユニット１２を上下方向へ回動動作させるためのピンである。また、支持部７４は、ゴム等の弾性や粘性を有するインシュレータを介してドライブユニット１２を筐体１１に弾性的に支持する。そのため、支持部７４には、インシュレータを保持するための係合穴７４ａが設けられている。この係合穴７４ａには側方に開口する切欠きが設けられており、側方からインシュレータの出し入れが可能とされている。
【００７７】
図８に示すように、第１のカムピン７２はスライドプレート７５に設けたカム溝７６に摺動可能に係合される。また、第２のカムピン７３はスライドレバー７７に設けたカム溝７８に摺動可能に係合される。このドライブユニット１２は、図５〜図７に示すように、筐体１１のディスク挿脱口２４の一側に配置されている。そして、ドライブユニット１２のディスク挿脱口２４側に回動中心を設定し、この回動中心を基準として奥行方向の奥側が上下方向へ回動可能に構成されている。
【００７８】
即ち、ドライブユニット１２は、回転駆動機構４１を筐体１１の略中央部に臨ませると共に、その長手方向を筐体１１の対角線方向に向けて配置されている。この状態のドライブユニット１２の支持軸７１と対向する筐体１１の側面には軸受穴が設けられており、その軸受穴に支持軸７１が回動自在に嵌合されている。図８に示すように、支持軸７１の軸心線の延長線と略重なる位置に、ドライブユニット１２の支持部７４が設けられている。支持部７４には係合穴７４ａが設けられており、その係合穴７４ａにインシュレータ８１が装着されている。インシュレータ８１は、中央部を貫通する穴を有しており、その穴を貫通する取付ねじ８２によって支持部７４が、ケース本体１４の底面部１４ａに弾性的に固定支持されている。
【００７９】
このようにしてドライブユニット１２が、筐体１１に対して上下方向へ傾き角変更可能に取り付けられている。このドライブユニット１２の姿勢（傾き角）を変更させる昇降動作を確保するため、ディスクドライブ装置１０にはベース移動機構８３が設けられている。ベース移動機構８３は、ドライブユニット１２を上下方向へ揺動させて昇降動作させることにより、そのドライブユニット１２をチャッキング位置とチャッキング解除位置と中間位置（記録再生位置）に移動させる。
【００８０】
即ち、ベース移動機構８３でドライブユニット１２を上昇させることにより、ディスク装着部２６であるターンテーブル４８がディスク装着位置に移動する。これにより、ディスク装着位置に位置決めされた光学ディスク７の中心穴７ａにターンテーブル４８の嵌合部４８ａが嵌合され、光学ディスク７がターンテーブル４８にチャッキングされる。一方、ベース移動機構８３でドライブユニット１２を下降させることにより、ターンテーブル４８がチャッキング解除位置に移動する。これにより、光学ディスク７の中心穴７ａからターンテーブル４８の嵌合部４８ａが離脱し、光学ディスク７のチャッキングが解除される。また、チャッキング位置とチャッキング解除位置の間の中間位置（記録再生位置）にドライブユニット１２を移動させることにより、光学ピックアップ４２による光学ディスク７に対する情報信号の記録又は再生を行うことができる。
【００８１】
このベース移動機構８３は、それぞれがスライド動作可能とされたスライドプレート７５と駆動レバー７７を有している。スライドプレート７５は、スライド部材の一具体例を示すもので、図８及び図９に示すように、板金製の長尺状の部材からなる。スライドプレート７５の長手方向の中途部には、幅方向の一側に突出する幅広部７５ａが設けられている。スライドプレート７５の幅広部７５ａの他側には、９０度に折り曲げることによって立ち上げられたカム片８４が設けられている。カム片８４は、上部が水平方向に折り曲げられたＬ字形状をなしており、これにより垂直面部８４ａと水平面部８４ｂが形成されている。
【００８２】
スライドプレート７５の水平面部８４ｂには、直径の異なる２種類の光学ディスクに対応した２種類のカム部８５ａ，８５ｂが設けられている。第１のカム部８５ａは、直径の大きな光学ディスク（以下「大径ディスク」という。例えば、直径が１２０ｍｍの光学ディスク。）７Ｌに対応しており、大径ディスク７Ｌを取り扱うときに用いられる。第２のカム部８５ｂは、直径の小さな光学ディスク（以下「小径ディスク」という。例えば、直径が８０ｍｍの光学ディスク。）７Ｓに対応しており、小径ディスク７Ｓを取り扱うときに用いられる。
【００８３】
スライドプレート７５の垂直面部８４ａには、ドライブユニット１２のベース部材４０に設けた第１のカムピン７２が摺動可能に係合されるプレート側カム溝７６が設けられている。プレート側カム溝７６は、第１のカムピン７２をガイドしてベース部材４０を昇降させることにより、ドライブユニット１２の姿勢を変化させる。このプレート側カム溝７６は、図１４Ａ〜Ｃに示すように、第１のカムピン７２を下水平部７６ａと頂上部７６ｂと上水平部７６ｃに位置させる。プレート側カム溝７６の下水平部７６ａは、第１のカムピン７２を介してドライブユニット１２をチャッキング解除位置に位置させる。このとき、ドライブユニット１２は、図１３Ｂに示すように、ディスク装着位置にセットされた光学ディスク７から最も離反されており、ターンテーブル４８側を下にした傾いた状態となっている。
【００８４】
プレート側カム溝７６の頂上部７６ｂは、第１のカムピン７２を介してドライブユニット１２をチャッキング位置に位置させる。このとき、ターンテーブル４８の嵌合部４８ａが、ディスク装着位置にセットされた光学ディスク７の中心穴７ａに嵌合され、ドライブユニット１２は、ターンテーブル４８側を僅かに上にした傾いた状態となる。また、上水平部７６ｃは、第１のカムピン７２を介してドライブユニット１２を中間位置に位置させる。このとき、ドライブユニット１２は、図１３Ａに示すように、挿入された光学ディスク７と略平行した状態になり、この状態において光学ディスク７に対する情報信号の記録又は再生が行われる。
【００８５】
このようなプレート側カム溝７６が、スライドプレート７５のカム片８４の垂直面部８４ａに形成されている。プレート側カム溝７６の下水平部７６ａは、垂直面部８４ａの根元部分において、長手方向へ延在するように形成されている。この下水平部７６ａの一端に連続する曲線部の上端に頂上部７６ｂが設けられている。そして、頂上部７６ｂから僅かに下がった位置に上水平部７６ｃが設けられている。上水平部７６ｃは、下水平部７６ａと略平行に延在されており、その他端は閉じられている。この上水平部７６ｃに対応して、後述する姿勢調整機構が設けられている。
【００８６】
スライドプレート７５の長手方向の一端に操作ピン８７が設けられている。操作ピン８７は、スライドプレート７５のカム片８４が突出する面に突出されており、この操作ピン８７が、駆動レバー７７に設けた連動用カム溝８６に摺動可能に係合されている。更に、スライドプレート７５には、このスライドプレート７５の直線的な移動を確保するために２つの長穴８８，８８が設けられている。各長穴８８には、ケース本体１４の底面部１４ａに固定された案内ピン８９がそれぞれ摺動可能に係合されている。
【００８７】
図８に示すように、駆動レバー７７は、適度な厚さを有する樹脂製の長尺状の部材からなり、幅方向の一側にはレバー側カム溝７８が設けられている。このレバー側カム溝７８には、ドライブユニット１２のベース部材４０の第３の面取り部４５ｃに設けた第２のカムピン７３が摺動可能に係合されている。レバー側カム溝７８は、第１のカムピン７２を昇降させるプレート側カム溝７６と連動して、第２のカムピン７３を昇降させてベース部材４０を回動し、これによりドライブユニット１２の姿勢を変化させる。このレバー側カム溝７８の機能がプレート側カム溝７６の機能と同一であり、その形状も略同様であるため、レバー側カム溝７８の形状の説明は省略する。
【００８８】
この駆動レバー７７の下面に、スライドプレート７５の操作ピン８７が係合される連動用カム溝８６が設けられている。駆動レバー７７は、ケース本体１４の底面部１４ａにおいて、スライドプレート７５のスライド方向と略直交する方向にスライド可能に支持されている。この駆動レバー７７とスライドプレート７５が、図８に示すような関係を持って、ケース本体１４の底面部１４ａに配置されている。
【００８９】
即ち、駆動レバー７７が、その長手方向を光学ディスク７が出し入れされる前後方向に向けて、ベース部材４０の第３の面取り部４５ｃと対向するよう底面部１４ａにスライド可能に支持されている。この駆動レバー７７に対してスライドプレート７５が、その長手方向を光学ディスク７が出し入れされる前後方向と直交する方向に向けて、ベース部材４０の第２の面取り部４５ｂと対向するようにドライブユニット１２の奥側に配置され、底面部１４ａにスライド可能に支持されている。
【００９０】
このような構成を有するベース移動機構８３は、筐体１１のケース本体１４の底面部１４ａに設けられた駆動モータやギア等の動力伝達機構を有する図示しない駆動機構によって動作される。駆動機構が作動すると、図８に示すように、まず、駆動レバー７７が前後方向（光学ディスク７が挿入・排出される方向）Ｘにスライド動作され、この駆動レバー７７の前後動作によってスライドプレート７５が、前後方向Ｘと直交する左右方向Ｙにスライド動作される。即ち、駆動レバー７７の前後動作によって連動用カム溝８６が前後方向Ｘに移動し、その連動用カム溝８６の形状変化に応じて操作ピン８７が左右方向Ｙに移動する。これにより、操作ピン８７の移動量に応じてスライドプレート７５が、操作ピン８７と同じ距離を左右方向Ｙに移動する。
【００９１】
図２０Ｂは、ディスクドライブ装置１０のディスク挿脱口２４に光学ディスク７を挿入する初期状態（又は、ディスク挿脱口２４から光学ディスク７を取り出す終期状態）を示している。この状態では、ドライブユニット１２の奥行方向の奥側が引き下げられ、ターンテーブル４８がディスク装着位置の下方に後退して、ドライブユニット１２の全体が傾いた状態にある。この状態から、駆動レバー７７をスライドさせるための駆動機構を作動することにより、ドライブユニット１２が、図２０Ｂに示すディスク装着解除位置から図２０Ａに示すディスク装着位置に移動し、その姿勢が傾いた状態から略水平の状態に変化する。なお、筐体１１のケース蓋体１５におけるターンテーブル４８と対応する位置には、ターンテーブル４８の嵌合部４８ａとの干渉を避けるための逃げ穴１５ａが設けられている。
【００９２】
図２０Ｂに示す状態から、駆動機構が作動すると、まず、駆動レバー７７が、前後方向Ｘの後方向Ｘ１に移動する（図８を参照）。これにより、駆動レバー７７の連動用カム溝８６にガイドされて操作ピン８７が、左右方向Ｙの左方向Ｙ１に移動する（図８を参照）。これにより、操作ピン８７の移動量に応じてスライドプレート７５が、操作ピン８７と同じ距離を左方向Ｙ１に移動する。このとき、駆動レバー７７に設けたレバー側カム溝７８とスライドプレート７５に設けたプレート側カム溝７６がカム機構として協働して働く。即ち、レバー側カム溝７８がドライブユニット１２のベース部材４０に設けた第２のカムピン７３を上昇させ、これと同時に、プレート側カム溝７６がベース部材４０に設けた第１のカムピン７２を上昇させる。
【００９３】
これにより、第１のカムピン７２がプレート側カム溝７６にガイドされて上部位置に移動し、同時に、第２のカムピン７３がレバー側カム溝７８にガイドされて上部位置に移動する。そして、第１のカムピン７２がプレート側カム溝７６の頂上部７６ｂまで移動すると共に、第２のカムピン７３がレバー側カム溝７８の頂上部まで移動する。その結果、ターンテーブル４８の嵌合部４８ａが光学ディスク７の中心穴７ａ内に入り込む。これにより、光学ディスク７がターンテーブル４８にチャッキングされる。
【００９４】
更に、駆動レバー７７が後方向Ｘ１に移動すると共に、スライドプレート７５が左方向Ｙ１に移動すると、第１のカムピン７２が頂上部７６ｂから上水平部７６ｃまで移動し、同じく第２のカムピン７３が頂上部から上水平部まで移動する。これにより、第１のカムピン７２と第２のカムピン７３が僅かに引き下げられ、ディスクドライブ装置１０が図２０Ａに示す状態になる。このとき、ディスクドライブ装置１０が略水平状態となり、この状態において、ターンテーブル４８に装着されている光学ディスク７に対して、光学ピックアップ４２による情報記録面からの情報信号の読み出しが可能となり、また、その情報記録面への新たな情報信号の書き込みが可能となる。
【００９５】
このディスクドライブ装置１０の略水平状態から、駆動レバー７７を前後方向Ｘの前方向Ｘ２に移動することにより、前述した動作と逆の動作が実行される。即ち、駆動レバー７７の前方向Ｘ２への移動により、連動用カム溝８６とこれに係合された操作ピン８７の作動を介して、スライドプレート７５が左右方向Ｙの右方向Ｙ２に移動する。これにより、第１のカムピン７２が上水平部７６ｃから頂上部７６ｂまで移動し、同じく第２のカムピン７３が上水平部から頂上部まで移動する。そして、第１のカムピン７２が頂上部７６ｂから下水平部７６ａまで移動し、同じく第２のカムピン７３が頂上部から下水平部まで移動することにより、ターンテーブル４８から光学ディスク７が離脱される。その結果、ドライブユニット１２が、上方のチャッキング位置から下方のチャッキング解除位置に移動し、ドライブユニット１２の姿勢が、図２０Ａに示す状態から図２０Ｂに示す状態に変化する。
【００９６】
このように動作されるドライブユニット１２は、情報信号の記録や再生が行われる略水平状態となる位置において、本発明のディスクドライブ装置に係る姿勢調整機構によって高さ（姿勢）を調整することができる。図９に示す姿勢調整機構９０は、本発明のディスクドライブ装置に係る姿勢調整機構の第１の実施の例を示すものである。
【００９７】
この第１の実施の例を示す姿勢調整機構９０は、図１８及び図１９に示すように、スライドプレート７５（スライド部材）に設けられており、調整ねじ９１と操作部材９２と弾性部材９３を有している。調整ねじ９１は、この実施の例では、止めねじ（一般に「いもねじ」と呼ばれている。）が適用されている。調整ねじ９１は、スライドプレート７５に設けたプレート側カム溝７６の上水平部７６ｃの近傍に配置されている。そのため、スライドプレート７５には、その一部にバーリング加工を施すことによってボス部９４を設けている。ボス部９４の穴内には、調整ねじ９１の雄ねじに対応した雌ねじが設けられており、その雌ねじに調整ねじ９１が螺合されている。
【００９８】
スライドプレート７５のボス部９４は、これに螺合された調整ねじ９１の上端面が、上水平部７６ｃに移動した際の第１のカムピン７２の略真下に臨む位置に配置されている。更に、この実施例では、カム片８４の垂直面部８４ａの折曲部に切り込み９４ａを設けることにより、ボス部９４を垂直面部８４ａにできるだけ近づけて、第１のカムピン７２のできるだけ根元部分に調整ねじ９１の先端面が当接するようにしている。
【００９９】
また、スライドプレート７５のボス部９４の近傍に、調整ねじ９１と第１のカムピン７２との間に介在される操作部材９２が取り付けられている。操作部材９２は、当接部９２ａと固定部９２ｂと連結部９２ｃを有しており、これらが板金製のばね材によって一体に形成されている。操作部材９２の当接部９２ａは、一面に調整ねじ９１が当接され、且つ、その一面に対向する他面に第１のカムピン７２が当接される。当接部９２ａは、断面形状が略コ字状をなしており、互いに対向する２片のうちの第１の片９５ａの外面に調整ねじ９１の先端面が当接され、第２の片９５ｂの外面に第１のカムピン７２の外周面が当接される。
【０１００】
固定部９２ｂは、操作部材９２をスライドプレート７５に固定するためのもので、その固定のために貫通穴９６ａが設けられている。この固定部９２ｂに、連結部９２ｃを介して当接部９２ａが弾性的に連結されている。固定部９２ｂの貫通穴９６ａには、カシメピン９７が挿通されている。カシメピン９７の先端部は、スライドプレート７５に設けたカシメ穴９６ｂに挿通されている。このカシメピン９７の先端部をカシメ止めすることにより、操作部材９２がスライドプレート７５に固定されている。また、連結部９２ｃには、操作部材９２の回り止めをなす回り止め片９５ｃが設けられている。回り止め片９５ｃは、クランク状に形成された折り曲げ片からなり、一端が第１の片９５ａに連続され、他端が連結部９２ｃに掛け止められている。
【０１０１】
スライドプレート７５に固定された操作部材９２は、当接部９２ａの第１の片９５ａの外面がボス部９４の上方に対向されている。このとき、当接部９２ａの第２の片９５ｂの外面は、プレート側カム溝７６の上水平部７６ｃの下辺と略同一の高さに設定される。この上水平部７６ｃ内に第１のカムピン７２が入り込むことにより、第１のカムピン７２が第２の片９５ｂに載置され或いは第２の片９５ｂと接触可能な状態になる。その後、調整ねじ９１をねじ込んで先端面を第１の片９５ａに当接させ、更にねじ込むことにより、第２の片９５ｂが第１のカムピン７２に当接される。この際、操作部材９２が板ばねで形成され、特に連結部９２ｃに大きなばね力が付与されているため、調整ねじ９１の締め込み作業が容易であって、当接部９２ａの姿勢調整（変更）を容易に行うことができる。
【０１０２】
また、スライドプレート７５のカム片８４の垂直面部８４ａには、プレート側カム溝７６の上水平部７６ｃに入り込んだ第１のカムピン７２を押圧して当接部９２ａの第１の片９５ａに付勢する弾性部材の一具体例を示す捩りばね９３が取り付けられている。捩りばね９３は、１周以上に巻回されたコイル部９３ａと、このコイル部９３ａの一端に連続された第１の弾性片９３ｂと、コイル部９３ａの他端に連続された第２の弾性片９３ｃを有している。コイル部９３ａは、垂直面部８４ａに設けられた支持軸９８に適当な隙間を有して嵌合支持されている。支持軸９８の軸方向の先端には、コイル部９３ａの脱落を防止するフランジ部９８ａが設けられている。
【０１０３】
捩りばね９３の第１の弾性片９３ｂは、垂直面部８４ａに設けた第１のばね受け片９９ａに掛け止められている。また、第２の弾性片９３ｃはＶ字状に折り曲げ形成されており、その基部側が、垂直面部８４ａに設けた第２のばね受け片９９ｂに掛け止められている。第２の弾性片９３ｃの先端部は当接部９２ａに対向されており、第１のカムピン７２が上水平部７６ｃに入り込むことにより、第２の弾性片９３ｃが第１のカムピン７２に当接される。この第２のばね受け片９９ｂのばね力により、第１のカムピン７２が当接部９２ａの第２の片９５ｂ若しくは上水平部７６ｃの底面に付勢される。その結果、第１のカムピン７２が上水平部７６ｃの所定位置に位置決めされ、これにより、ドライブユニット１２が略水平状態に保持される。
【０１０４】
スライドプレート７５の材質としては、例えば、ステンレス鋼（ＳＵＳ）やスチール鋼等の金属が好適であるが、エンジニアリングプラスチックを用いることもできる。また、駆動レバー７７の材質としては、例えば、ＰＣ（ポリカーボネート）等のエンジニアリングプラスチックが好適であるが、ステンレス鋼やスチール鋼等の金属を用いることもできる。
【０１０５】
このような構成を有する姿勢調整機構９０がスライドプレート７５に搭載され、そのスライドプレート７５が筐体１１のケース本体１４に設けた底面部１４ａの底面にスライド可能に支持されている。この姿勢調整機構９０の調整操作を底面部１４ａの背面からできるようにするため、図３及び図４に示すように、ケース本体１４の底面部１４ａの第１のカムピン７２と対応する位置には、調整用の操作穴１０１が設けられている。操作穴１０１は、調整ねじ９１の外径よりも少し大きな円形の穴として形成されており、ドライバ等の工具の先端が挿入可能とされている。更に、ケース本体１４の底面部１４ａにおける操作穴１０１の近傍には、ベース部材４０の揺動側の先端部を露出させる開口窓１０２が設けられている。
【０１０６】
この姿勢調整機構９０は、例えば、次のようにして使用される。この姿勢調整作業は、通常、ディスクドライブ装置１０の組立完了後に行われる。薄型のスロットインタイプのディスクドライブ装置１０では、本質的に、ターンテーブル４８に装着された光学ディスク７のディスク表面と、ディスク搬送機構３０の第１〜第４の回動アーム３１〜３４等の構成部品との間に、高さ方向の隙間を十分に確保することができず、その隙間は一層狭く（厳しく）する必要があった。しかも、部品精度のバラツキによる隙間の変化量も、厳しく押える必要があった。このような状況下、仮に、光学ディスク７とディスク搬送機構３０の構成部品等との間の隙間がなくなると、回転中の光学ディスク７と構成部品等が接触し、異常音を発生したり、光学ディスクの表面が傷付けられるおそれがある。
【０１０７】
このような場合に、姿勢調整機構９０を用いてディスクドライブ装置１０の姿勢（傾きや高さ等）を微調整する。これにより、回転中の光学ディスク７と構成部品等の接触を回避し、異常音の発生や、光学ディスクの表面の傷付け等を防ぐことができる。特に、規格上限の厚い光学ディスクや規格上限の面振れを持つ光学ディスクについては、部品の公差や限界部品の変形等により、ディスク表面と周囲の機構部品との隙間を確保し難い関係にある。そこで、この姿勢調整機構９０を用いて姿勢（高さ）調整を行うことにより、光学ディスク７の上面及び下面と周辺機器の構成部品等との隙間を所定の範囲に確保して、歩留まりの向上を図ることができる。
【０１０８】
この姿勢調整機構９０による調整作業は、例えば、次のようにして行うことができる。ディスクドライブ装置１０の組立完了後に、規格上限の厚い光学ディスクや、同じく規格上限の面振れを有する光学ディスクを、ディスク装着部であるターンテーブル４８に装着し、その光学ディスクを所定回転で回転させる。このとき、光学ディスクの上面とその上方に配置された周囲部品との隙間、又は光学ディスクの下面とその下方に配置された周囲部品との間に隙間が無いときには、その周囲部品に接触しながら光学ディスクが回転駆動される。この際、光学ディスクと周囲部品が接触し、擦れ合うことによって異常音が発生する。
【０１０９】
この異常音を作業者が耳で聴いたときに、この調整作業を行う。そして、異常音の発生が無くなるところまで調整ねじ９１を回して、ドライブユニット１２の姿勢（高さ）調整を行う。また、別の方法として、例えば、スピンドルモータ４７の電流波形やターンテーブル４８の回転数を観察し、その変化に応じて調整作業を行うこともできる。この場合、回転中の光学ディスク７と周囲部品が接触すると、モータの駆動電流が変化したり、ターンテーブル４８の回転数が変化するため、これらの変化が解消されるように調整作業を行うようにする。
【０１１０】
具体的な調整作業は、例えば、次のようにして行われる。ドライブユニット１２を情報信号の記録又は再生が可能な位置、即ち、ベース部材４０に設けた第１のカムピン７２及び第２のカムピン７３をプレート側カム溝７６及びレバー側カム溝７８の各上水平部７６ｃにセットする（図９、図１９及び図２１Ｂに示す。）。この場合、スライドプレート７５及び駆動レバー７７は、それぞれの動作が終了した位置、即ち、図８に示す状態からそれぞれ逆側（スライドプレート７５はＹ１方向、駆動レバー７７はＸ１方向）に移動した位置にある。
【０１１１】
このとき、第１のカムピン７２は、操作部材９２の当接部９２ａにおける第２の片９５ｂの上面に載置され、当接部９２ａの第１の片９５ａの下面には調整ねじ９１の上端面が当接されている。そして、第１のカムピン７２の上面には、捩りばね９３の第２の弾性片９３ｃが当接され、そのばね力で第１のカムピン７２が当接部９２ａ側に付勢されて、安定的に固定されている。
【０１１２】
そのため、調整ねじ９１を左又は右へ回動することにより、その回動方向に応じて進退動作する調整ねじ９１によって第１のカムピン７２（第２のカムピン７３の場合も同様）が昇降動作される。この際、調整ねじ９１の回動操作は、筐体１１の外部であるケース本体１４の底面側の外から行うことができる。また、調整ねじ９１は、一般的な止めねじ（通称「イモねじ」）であって、通常のねじと同様に右ねじとして形成される。そのため、調整ねじ９１を時計回りに回すと、その回転量に応じて当接部９２ａが押し上げられる。これにより、ドライブユニット１２のターンテーブル４８の高さが、調整ねじ９１の上昇分だけ上げられる。これに対して、調整ねじ９１を反時計回りに回すことにより、その回転量に応じて当接部９２ａが押し上げられる。その結果、ドライブユニット１２のターンテーブル４８の高さが、調整ねじ９１の下降昇分だけ上げられる。
【０１１３】
この調整ねじ９１による高さ（姿勢）の調整範囲は、プレート側カム溝７６の上水平部７６ｃの溝幅であり、その溝幅によって調整量（上げ下げの量）が決定される。即ち、調整ねじ９１をねじ込み方向へ回し過ぎると、図２１Ｃ及び図２２に示すように、第１のカムピン７２が上水平部７６ｃの上側の溝縁に当接される（上方向の高さ限界）。また、下方向の高さ限界は、当接部９２ａの第２の片９５ｂの上面が、上水平部７６ｃの下側の溝縁より下方へ離れるときである。従って、この実施例では、上水平部７６ｃの溝幅の範囲内において、無段階に高さ調整を行うことができる。この際、操作部材９２がステンレス製の板ばね材によって形成されているため、調整ねじ９１の調整量に応じて当接部９２ａを容易に追従させることができる。
【０１１４】
また、図２３Ａ，Ｂに示すように、操作部材９２の当接部９２ａの第２の片９５ｂは、その主面を傾斜させて折曲部を最も高い位置に設定し、先端縁のエッジが第１のカムピン７２と接触しないように構成している。これにより、比較的曲率半径の大きな滑らかな曲線を有する折曲部で第１のカムピン７２を支持し、摺動による摩擦抵抗の増加を防ぐと共に、第２の片９５ｂのエッジによって第１のカムピン７２が傷付けられるのを防止することができる。
【０１１５】
上述したような調整作業が終了した後、図２２に示すように、筐体１１のケース本体１４に設けた操作穴１０１を経て、スライドプレート７５のボス部９４の穴に紫外線硬化性接着剤１２８を塗布する。その後、紫外線硬化性接着剤１２８に紫外線を照射して、調整後の位置で調整ねじ９１の裏面を固定する。これにより、調整ねじ９１に弛みが生じないようにして、調整時の高さが変化しないようにする。このように、本実施例に係る調整作業は、ディスクドライブ装置１０の製造段階における最終工程で行われ、しかも、光学ディスク７が回転駆動される位置でドライブユニット１２の位置決めが行われる。そのため、ドライブユニット１２の高さ調整に作業ミスを生じることがなく、高さ調整作業を簡単且つ確実に行うことができる。
【０１１６】
図２４〜図３０は、本発明に係る姿勢調整機構の他の実施例を示す。図２４Ａ，Ｂ及び図２５は、本発明のディスクドライブ装置に係る姿勢調整機構の第２の実施例を示すものである。この第２の実施例として示す姿勢調整機構１３０は、調整ねじ９１と操作部材１３２を有している。この第２の実施例に係る姿勢調整機構１３０が前述した姿勢調整機構９０と異なるところは、操作部材１３２と、この操作部材１３２を支持するスライドプレート７５の支持部の構成のみである。そのため、ここでは、その支持部と操作部材１３２のみについて説明し、同一部分には同一の符号を付して、重複した説明を省略する。
【０１１７】
姿勢調整機構１３０の操作部材１３２は、図２５に示すような構成を有している。即ち、操作部材１３２は、当接部１３２ａと固定部１３２ｂと連結部１３２ｃを有しており、これらが板金製のばね材によって一体に形成されている。操作部材１３２の当接部１３２ａはコ字状に形成されていて、ピン受け部１３３と第１の片１３４ａと第２の片１３４ｂを有している。ピン受け部１３３は、上水平部７６ｃに移動してきた第１のカムピン７２が出し入れされる凹部であり、側方に開口されている。このピン受け部１３３のコ字状をなす周縁には、補強用のリブ部１３３ａが設けられている。リブ部１３３ａの一方の端部（上端）には、外向きに湾曲された拡幅部１３３ｂが設けられており、この拡幅部１３３ｂによって第１のカムピン７２の出し入れが容易に行えるようにしている。
【０１１８】
当接部１３２ａの第１の片１３４ａと第２の片１３４ｂは、それぞれの外縁において、ピン受け部１３３を挟んで対向するように配置されている。第１の片１３４ａの下面には、調整ねじ９１の先端面が当接される。また、第２の片１３４ｂは、外縁から内側へ所定長さ入った位置にその外縁に沿って延在するスリットを設けることにより、その中央部にばね性を持たせ弾性片として形成されている。固定部１３２ｂは、操作部材１３２をスライドプレート７５に固定するためのもので、その固定のために貫通穴９６ａが設けられている。この固定部１３２ｂに、連結部１３２ｃを介して当接部１３２ａが弾性的に連結されている。
【０１１９】
操作部材１３２の固定部９２ｂの貫通穴９６ａには、カシメピン９７が挿通される。このカシメピン９７の先端部を、スライドプレート７５のカシメ穴９６ｂに挿通してカシメ止めすることにより、操作部材１３２がスライドプレート７５に固定される。図２４Ａ，Ｂに示すように、スライドプレート７５に固定された操作部材１３２は、当接部１３２ａの第１の片１３４ａがボス部９４に螺合されている調整ねじ９１に当接される。そして、当接部１３２ａのピン受部１３３が、スライドプレート７５に設けたプレート側カム溝７６の上水平部７６ｃに対向される。
【０１２０】
操作部材１３２の当接部１３２ａに対応させて、カム片８４の垂直面部８４ａには、第１のガイド片１３５ａと第２のガイド片１３５ｂが設けられている。両ガイド片１３５ａ，１３５ｂは、カム片８４の一部を切り出して折り曲げることによって形成されている。第１のガイド片１３５ａは、当接部１３２ａの一部に摺動接触して、当接部１３２ａを垂直面部８４ａの主面に沿って移動させるガイドをなしており、移動時に当接部１３２ａが倒れて折れ曲げられるのを防止している。また、第２のガイド片１３５ｂは、第１のガイド片１３５ａと同様に当接部１３２ａの倒れを防止すると共に、ばね性の大きな第２の片１３４ｂを第１のカムピン７２側に付勢している。この第２の片１３４ｂのばね力でピン受け部１３３を第１のカムピン７２に押圧することにより、ドライブユニット１２を所定位置に固定的に支持している。
【０１２１】
この第２の実施例による調整作業は、前記実施例による調整作業と略同様である。即ち、調整ねじ９１を左又は右へ回すことによって行われる。図２４Ａは、調整ねじ９１が最も下げられた状態を示しており、プレート側ガイド溝７６の上水平部７６ｃ内に入り込んだ第１のカムピン７２は、その下面が上水平部７６ｃの下側の溝縁に当接している。このとき、当接部１３２ａのピン受け部１３３の下縁が上水平部７６ｃの下側の溝縁と同じ高さにあり、第１の片１４４ａの下面に調整ねじ９１の上端面が当接している。この第１のカムピン７２の上に、第２の片１３４ｂの付勢力によって当接部１３２ａが押圧され、これにより、第１のカムピン７２が位置決めされている。
【０１２２】
この状態から、調整ねじ９１を時計方向に回して締め込むことにより、当接部１３２ａを介して第１のカムピン７２が押し上げられ、図２４Ｂに示す状態となる。このような第１のカムピン７２の押し上げ作業、或いは、上げすぎたときに調整ねじ９１を逆側の反時計方向に回して押し下げ作業を行うことにより、ドライブユニット１２の姿勢（高さ）を調整する。これにより、ドライブユニット１２を、光学ディスク７が周囲の部品に当たることのない所定位置に固定的に支持することが可能となる。このように、調整ねじ９１の締め込み量（上げ下げの量）を調整し、操作部材１３２の当接部１３２ａの姿勢（高さ）を調整することにより、ドライブユニット１２を所定位置において所定の姿勢に設定することができる。なお、当接部１３２ａのピン受け部１３３の溝幅は、第１のカムピン７２の直径よりも僅かに大きく設定することが好ましく、この場合には、第１のカムピン７２のがたつきをできるだけ押えることができる。
【０１２３】
図２６Ａ，Ｂ及び図２７は、本発明のディスクドライブ装置に係る姿勢調整機構の第３の実施例を示すものである。この第３の実施例として示す姿勢調整機構１４０は、調整ねじ９１と操作部材１４２を有している。この第３の実施例に係る姿勢調整機構１４０が前述した姿勢調整機構１３０と異なるところは、操作部材１４２と、この操作部材１４２を支持するスライドプレート７５の支持部の構成のみである。そのため、ここでは、その支持部と操作部材１４２のみについて説明し、同一部分には同一の符号を付して、重複した説明を省略する。
【０１２４】
姿勢調整機構１４０の操作部材１４２は、図２７に示すような構成を有している。即ち、操作部材１４２は、当接部１４２ａと固定部１４２ｂと連結部１４２ｃを有しており、これらが板金製のばね材によって一体に形成されている。操作部材１４２の当接部１４２ａはコ字状に形成されていて、ピン受け部１４３と第１の片１４４ａと第２の片１４４ｂとガイド片１４４ｃを有している。ピン受け部１４３は、上水平部７６ｃに移動してきた第１のカムピン７２が出し入れされる凹部であり、側方に開口されている。このピン受け部１４３の対向する２片１４４ａ，１４４ｂ間の間隔は、第１のカムピン７２の直径よりも少し小さく設定されている。
【０１２５】
このように、第１の片１４４ａと第２の片１４４ｂの間隔を第１のカムピン７２の直径よりも小さくすることにより、当接部１４２ａに生ずるばね性によって第１のカムピン７２のがたを吸収し、ドライブユニット１２を所定位置に固定的に支持することができる。更に、この実施例では、第１の片１４４ａと第２の片１４４ｂには補強用のリブを設けておらず、両片を平面部のみで形成しているため、両片１４４ａ，１４４ｂに対してばね性を容易に付与することができる。その一方、第１の片１４４ａと第２の片１４４ｂを結ぶ連結片１４４ｃには、その一部をＬ字状に折り曲げることによってガイド部１４４ｄを形成しているため、連結片１４４ｃにおける強度を十分に大きく保持することができる。
【０１２６】
この操作部材１４２の当接部１４２ａに対応させて、カム片８４の垂直面部８４ａには、ガイド片１４５が設けられている。ガイド片１４５は、カム片８４の一部を切り出して折り曲げることによって形成されている。このガイド片１４５は、当接部１３２ａのガイド部１４４ｄに摺動接触して、当接部１３２ａを垂直面部８４ａの主面に沿って移動させるガイドをなしており、移動時に当接部１３２ａが倒れて折れ曲げられるのを防止している。
【０１２７】
この姿勢調整機構１４０の調整作業は、前述した実施例と同様であり、調整ねじ９１を左又は右へ回すことによって行われる。即ち、図２６Ａは、調整ねじ９１が最も下げられた状態を示しており、プレート側ガイド溝７６の上水平部７６ｃ内に入り込んだ第１のカムピン７２は、その下面が上水平部７６ｃの下側の溝縁に当接している。このとき、当接部１３２ａの第１の片１４４ａの上面が上水平部７６ｃの下側の溝縁と同じ高さにある。そのため、第１の片１４４ａの上面が第１のカムピン７２の下面に当接し、第１の片１４４ａの下面に調整ねじ９１の上端面が当接している。この第１のカムピン７２の上に第２の片１４４ｂが押圧されており、その第２の片１４４ｂの付勢力によって第１のカムピン７２が位置決めされている。
【０１２８】
この状態から、調整ねじ９１を時計方向に回して締め込むことにより、第１の片１４４ａを介して第１のカムピン７２が押し上げられ、図２６Ｂに示す状態となる。このような第１のカムピン７２の押し上げ作業、或いは、上げすぎた時の押し下げ作業を介して、ドライブユニット１２の姿勢（高さ）を調整する。これにより、ドライブユニット１２を、光学ディスク７が周囲の部品に当たることのない所定位置に固定的に支持することが可能となる。
【０１２９】
図２８Ａ，Ｂ及び図２９は、本発明のディスクドライブ装置に係る姿勢調整機構の第４の実施例を示すものである。この第４の実施例として示す姿勢調整機構１５０は、調整ねじ９１と操作部材１５２を有している。この第４の実施例に係る姿勢調整機構１５０が前述した姿勢調整機構１３０，１４０と異なるところは、操作部材１５２と、この操作部材１５２を支持するスライドプレート７５の支持部の構成のみである。そのため、ここでは、その支持部と操作部材１５２のみについて説明し、同一部分には同一の符号を付して、重複した説明を省略する。
【０１３０】
姿勢調整機構１５０の操作部材１５２は、図２９に示すような構成を有している。即ち、操作部材１５２は、当接部１５２ａと軸受部１５２ｂと架橋部１５２ｃを有しており、これらが板金製のばね材によって一体に形成されている。操作部材１５２は、全体として略扇形のような形状をなしており、その扇の要となる部分に軸受部１５２ｂが配置されている。軸受部１５２ｂは、操作部材１５２をスライドプレート７５に回動可能に支持するためのもので、その支持のために設けた貫通穴１５４にカシメピン１５６が挿通され、カシメ止めされている。この軸受部１５２ｂを中心として、操作部材１５２の一側に当接部１５２ａが配置され、他側に架橋部１５２ｃが配置されている。
【０１３１】
操作部材１５２には、プレート側カム溝７６の形状と一部において重なり合う近似した形状を有する操作カム溝１５５が設けられている。操作カム溝１５５は、プレート側カム溝７６の上水平部７６ｃと略同様の形状を有する調整部１５５ａと、この調整部１５５ａの一端に連続すると共にプレート側カム溝７６の頂上部７６ｂと略同様の形状を有するガイド部１５５ｂを有している。この操作カム溝１５５には、プレート側カム溝７６を貫通する第１のカムピン７２が貫通され、その貫通状態で摺動可能に係合される。そのため、操作カム溝１５５に出入りする第１のカムピン７２の移動軌跡上に重なる操作部材１５２の、調整部１５５ａと反対側の辺には、強度の確保等を目的として架橋部１５２ｃが設けられている。架橋部１５２ｃは、操作部材１５２の主面に対してコ字状に突出した膨出部からなり、その背面側を第１のカムピン７２が通過可能とされている。
【０１３２】
この操作部材１５２は、スライドプレート７６のカム片８４の一部をなす垂直面部８４ａに、カシメピン１５６によって回動可能に支持されている。この操作部材１５２の取付状態において、操作カム溝１５５とプレート側カム溝７６は、図２８Ａ及びＢに示すような関係となっている。即ち、操作カム溝１５５の調整部１５５ａの溝幅は第１のカムピン７２の直径と略同等の寸法を有し、略ガタの無い状態で摺動可能となっている。これに対して、プレート側カム溝７６の上水平部７６ｃの溝幅は第１のカムピン７２の直径よりも少し大きく形成されている。
【０１３３】
図２８Ａは、第１のカムピン７２の一側が上水平部７６ｃの下縁に当接した状態を示しており、このとき、第１のカムピン７２の他側は、操作カム溝１５５には略接触した状態となるが、上水平部７６ｃの上縁との間には隙間が少しできている。図２８Ｂは、第１のカムピン７２の一側が上水平部７６ｃの上縁に当接した状態を示しており、このとき、第１のカムピン７２の他側は、操作カム溝１５５には略接触した状態となるが、上水平部７６ｃの下縁との間には隙間が少しできている。
【０１３４】
操作部材１５２の当接部１５２ａはＬ字状に形成されており、調整ねじ１５１の先端部が挿通される挿通孔１５３が設けられている。スライドプレート７６に螺合されている調整ねじ１５１の先部は、当接部１５２ａに設けた挿通孔１５３に回動可能に挿通されている。調整ねじ１５１の先部には、抜け止め用の止め輪（例えば、Ｅリング）１５７が取り付けられている。これにより、調整ねじ１５１が当接部１５２ａに対して回動可能であって姿勢変更可能に連結されている。そのため、調整ねじ１５１を回すと、その回動方向に応じて操作部材１５２が、カシメピン１５６を回動中心として、時計方向又は反時計方向に回動される。
【０１３５】
この操作部材１５２の回動動作を確保するため、垂直面部８４ａにはガイド片１５８が設けられている。ガイド片１５８は、垂直面部８４ａの一部を切り出して折り曲げることによって形成されている。このガイド片１５８は、操作部材１５２をその主面に沿って移動させるガイドをなしており、操作部材１５２の一部に摺動接触して、移動時に操作部材１５２が倒れて折れ曲げられるのを防止している。
【０１３６】
この姿勢調整機構１５０の調整作業は、前述した実施例と同様であり、調整ねじ１５１を左又は右へ回すことによって行われる。即ち、図２８Ａは、調整ねじ１５１が最も下げられた状態を示しており、プレート側ガイド溝７６の上水平部７６ｃ内に入り込んだ第１のカムピン７２は、その下面が上水平部７６ｃの下側の溝縁に当接している。このとき、操作カム溝１５５の調整部１５５ａの下縁は、上水平部７６ｃの下側の溝縁と同じ高さにある。この状態から、調整ねじ１５１を時計方向に回して締め込むことにより、操作部材１５２がカシメピン１５６を回動中心として回動され、第１のカムピン７２が押し上げられて図２８Ｂに示す状態となる。
【０１３７】
このような第１のカムピン７２の押し上げ作業、或いは、上げすぎた時の押し下げ作業（調整ねじ１５１を反時計方向に回す。）を介して、ドライブユニット１２の姿勢（高さ）を調整する。これにより、ドライブユニット１２を、光学ディスク７が周囲の部品に当たることのない所定位置に固定的に支持することが可能となる。
【０１３８】
図３０Ａ，Ｂは、本発明のディスクドライブ装置に係る姿勢調整機構の第５の実施例を示すものである。この第５の実施例として示す姿勢調整機構１６０は、ドライブユニット１２の姿勢（高さ）調整を有段階で行うことができるようにしたもので、固定ねじ１６１と操作部材１６２を有している。この第５の実施例に係る姿勢調整機構１６０が前述した姿勢調整機構１３０，１４０，１５０と異なるところは、操作部材１６２と、この操作部材１６２を支持するスライドプレート７５の支持部の構成のみである。そのため、ここでは、その支持部と操作部材１６２のみについて説明し、同一部分には同一の符号を付して、重複した説明を省略する。
【０１３９】
姿勢調整機構１６０の操作部材１６２は、図３０に示すような構成を有している。即ち、操作部材１６２は、当接部１６２ａと軸受部１６２ｂを有しており、これらが板金によって一体に形成されている。操作部材１６２は、全体として略コ字状に形成されており、その一方の片の先端に軸受部１６２ｂが配置されている。軸受部１６２ｂは、操作部材１６２をスライドプレート７５に回動可能に支持するもので、その支持のために設けた貫通穴にカシメピン１６６が挿通され、カシメ止めされている。
【０１４０】
操作部材１６２の当接部１６２ａには、プレート側カム溝７６の形状と一部において重なり合う近似した形状を有する操作カム溝１６５が設けられている。操作カム溝１６５は、プレート側カム溝７６の上水平部７６ｃと略同様の形状を有している。この操作カム溝１６５には、プレート側カム溝７６を貫通する第１のカムピン７２が貫通され、その貫通状態で摺動可能に係合される。
【０１４１】
この操作部材１６２は、スライドプレート７６のカム片８４の一部をなす垂直面部８４ａに、カシメピン１６６によって回動可能に支持されている。この操作部材１６２の取付状態において、操作カム溝１６５とプレート側カム溝７６は、図３０Ａ及びＢに示すような関係となっている。即ち、操作カム溝１６５の溝幅は第１のカムピン７２の直径と略同等の寸法を有し、略ガタの無い状態で摺動可能となっている。これに対して、プレート側カム溝７６の上水平部７６ｃの溝幅は第１のカムピン７２の直径よりも少し大きく形成されている。
【０１４２】
図３０Ａは、第１のカムピン７２の一側が上水平部７６ｃの下縁に当接した状態を示しており、このとき、第１のカムピン７２の他側は、操作カム溝１６５には略接触した状態となるが、上水平部７６ｃの上縁との間には隙間が少しできている。図３０Ｂは、第１のカムピン７２の一側が上水平部７６ｃの上縁に当接した状態を示しており、このとき、第１のカムピン７２の他側は、操作カム溝１６５には略接触した状態となるが、上水平部７６ｃの下縁との間には隙間が少しできている。
【０１４３】
操作部材１６２の当接部１６２ａには、固定ねじ１６１が選択的に挿通される複数（本実施例では３個）の挿通孔１６３ａ，１６３ｂ，１６３ｃが設けられている。これらの挿通孔１６３ａ〜１６３ｃに対応してスライドプレート７６のカム片８４における垂直面部８４ａには、挿通孔１６３ａ〜１６３ｃと同じ数のねじ孔１６４ａ，１６４ｂ，１６４ｃが設けられている。ねじ孔１６４ａ〜１６４ｃに対して挿通孔１６３ａ〜１６３ｃは、操作部材１５２の回動中心であるカシメピン１６６から離れるに従って徐々に変位量が大きくなるように設定されている。操作部材１６２は、複数の挿通孔１６３ａ〜１６３ｃから選択した１の挿通孔に固定ねじ１６１を螺合して締め込むことにより、その位置に固定される。従って、この実施例では、操作部材１６２は、３段階に固定可能となっている。
【０１４４】
この姿勢調整機構１６０による姿勢（高さ）調整は、例えば、次のようにして行うことができる。図３０Ａは、第１のカムピン７２の一側が、上水平部７６ｃの下縁と操作部材１６２の操作カム溝１６５の下縁に当接した状態を示している。このとき、第１のカムピン７２の他側は、操作カム溝１５５の上縁には略接触した状態となるが、上水平部７６ｃの上縁との間には隙間ができている。この状態において、第１の挿通孔１６３ａに固定ねじ１６１のねじ軸を挿通し、その先端部を第１のねじ孔１６４ａに螺合させて締め付けることにより、操作部材１６２が最下段の位置で固定される。
【０１４５】
図３０Ｂは、第１のカムピン７２の一側が、上水平部７６ｃの上縁と操作部材１６２の操作カム溝１６５の上縁に当接した状態を示している。このとき、第１のカムピン７２の他側は、操作カム溝１５５の下縁には略接触した状態となるが、上水平部７６ｃの下縁との間には隙間ができている。この状態において、第３の挿通孔１６３ｃに固定ねじ１６１のねじ軸を挿通し、その先端部を第３のねじ孔１６４ｃに螺合させて締め付けることにより、操作部材１６２が最上段の位置で固定される。また、図示しないが、第２のねじ孔１６４ｂに第２の挿通孔１６３ｂを一致させ、その第２のねじ孔１６４ｂに固定ねじ１６１のねじ軸を挿通し、その先端部を第２のねじ孔１６４ｂに螺合させて締め付けることにより、操作部材１６２が中間段の位置で固定される。
【０１４６】
この第５の実施例に係る姿勢調整機構１６０のように、予め、スライドプレート７５に複数のねじ孔を設けると共に操作部材１６２に複数の挿通孔を設けることにより、回動又は微動する操作部材１６２を固定ねじ１６１で複数段階に固定することができる。これにより、前記実施例と同様に、ドライブユニット１２の姿勢（高さ）を調整することができる。なお、この実施例の場合には、ディスクドライブ装置１０の完成後に筐体１１の外から調整作業を行うことはできず、その調整作業は、組立工程中において行う必要がある。
【０１４７】
以上説明したように、本発明によれば、姿勢調整機構を設けたことにより、部品のバラツキによるディスク表面と周囲の部品との隙間を最適に調整することができ、信頼性の高い薄型のディスクドライブ装置、及びそのディスクドライブ装置を備えた情報記録及び／又は再生装置を提供することができる。更に、ディスクドライブ装置の生産工程の最終段階において姿勢調整作業が行われるため、歩留まりを改善することができ、組立工程等を簡単化できると共に、コストダウンを図ることができる。
【０１４８】
本発明は、前述しかつ図面に示した実施の形態に限定されるものではなく、その要旨を逸脱しない範囲内で種々の変形実施が可能である。例えば、前記実施例では、ノート型パソコンに適用した例について説明したが、光ディスクや光磁気ディスクを用いた他の電子機器、例えば、デスクトップ型パーソナルコンピュータ、電子辞書、ＤＶＤプレーヤ、カーナビゲーションその他各種の電子機器に適用できるものである。
【０１４９】
更に、前記実施例においては、ドライブユニットを回動させてディスクのチャッキングとその解除を行う例について説明したが、ドライブユニットを平行移動させてディスクのチャッキングとその解除を行うように構成することができることは勿論である。更に、ディスク挿脱口から光学ディスクを出し入れする例について説明したが、他の開口部から光学ディスクを挿入又は排出するように構成してもよい。
【図面の簡単な説明】
【０１５０】
【図１】本発明のディスクドライブ装置を備えた情報記録及び／又は再生装置の一実施例を示す斜視図である。
【図２】本発明のディスクドライブ装置に係る筐体の一実施例を示す斜視図である。
【図３】図２に示した筐体を背面から見たもので、スライド部材が一側に移動した状態の説明図である。
【図４】図２に示した筐体を背面から見たもので、スライド部材が他側に移動した状態の説明図である。
【図５】本発明のディスクドライブ装置に大径ディスク及び小径ディスクが挿入される（排出時も同様）状態を示す説明図である。
【図６】本発明のディスクドライブ装置に大径ディスクが装着された状態を示す説明図である。
【図７】本発明のディスクドライブ装置に小径ディスクが装着された状態を示す説明図である。
【図８】本発明のディスクドライブ装置に係るドライブユニットとスライドプレートと駆動レバーの関係を説明する平面図である。
【図９】本発明のディスクドライブ装置に係るドライブユニットとスライドプレートの関係を説明する斜視図である。
【図１０】図８に示すドライブユニットからベースカバーを取り除いたドライブユニットの平面図である。
【図１１】本発明のディスクドライブ装置に係る光学ピックアップとフレキシブル配線板を示すもので、フレキシブル配線板とピックアップベースの結合後の状態の平面図である。
【図１２】本発明のディスクドライブ装置に係る光学ピックアップとフレキシブル配線板を示すもので、フレキシブル配線板とピックアップベースの結合前の状態の平面図である。
【図１３】本発明のディスクドライブ装置に係る光学ピックアップとフレキシブル配線板を示すもので、図１３Ａはフレキシブル配線板とピックアップベースの結合後の状態の斜視図、図１３Ｂはフレキシブル配線板とピックアップベースの結合前の状態の斜視図である。
【図１４】本発明のディスクドライブ装置に係る光学ピックアップとフレキシブル配線板の結合状態を示すもので、図１４Ａは正面図、図１４Ｂは背面図、図１４Ｃは図１４Ｂの要部を拡大した断面図である。
【図１５】本発明のディスクドライブ装置に係る光学ピックアップとフレキシブル配線板の結合状態を示すもので、図１５Ａはフレキシブル配線板を１８０度湾曲させて一側に移動した状態の説明図、図１５Ｂはフレキシブル配線板を１８０度湾曲させて他側に移動した状態の説明図である。
【図１６】本発明のディスクドライブ装置に係るドライブユニット（ベースカバーを取り除いた状態）の光学ピックアップとフレキシブル配線板の結合状態を示すもので、図１６Ａは光学ピックアップが一側に移動した状態の説明図、図１６Ｂは光学ピックアップが他側に移動した状態の説明図である。
【図１７】本発明のディスクドライブ装置に係るドライブユニット（ベースカバーを取り付けた状態）の光学ピックアップとフレキシブル配線板の結合状態を示すもので、図１７Ａは光学ピックアップが一側に移動した状態の説明図、図１７Ｂは光学ピックアップが他側に移動した状態の説明図である。
【図１８】本発明のディスクドライブ装置に係る姿勢調整機構の第１の実施例を分解して示す斜視図である。
【図１９】図９の要部を拡大して示す説明図である。
【図２０】本発明のディスクドライブ装置の第１の実施例をディスク挿脱方向（前後方向）に断面したもので、図２０Ａはドライブユニットがディスク装着位置に移動した状態の説明図、図２０Ｂはドライブユニットがディスク装着解除位置に移動した状態の説明図である。
【図２１】本発明のディスクドライブ装置に係る姿勢調整機構の第１の実施例を示すもので、図２１Ａは第１のカムピンがプレート側カム溝の上水平部に入り込む状態の説明図、図２１Ｂは姿勢調整機構の最下段の説明図、図２１Ｃは姿勢調整機構の最上段の説明図である。
【図２２】図２１Ｃの要部を拡大して示す説明図である。
【図２３】図２０Ａの要部を拡大して示すもので、図２３Ａは姿勢調整機構の最下段の説明図、図２３Ｂは姿勢調整機構の最上段の説明図である。
【図２４】本発明のディスクドライブ装置に係る姿勢調整機構の第２の実施例を示すもので、図２４Ａは姿勢調整機構の最下段の説明図、図２４Ｂは姿勢調整機構の最上段の説明図である。
【図２５】図２４に示す姿勢調整機構に係る操作部材の斜視図である。
【図２６】本発明のディスクドライブ装置に係る姿勢調整機構の第３の実施例を示すもので、図２６Ａは姿勢調整機構の最下段の説明図、図２６Ｂは姿勢調整機構の最上段の説明図である。
【図２７】図２６に示す姿勢調整機構に係る操作部材の斜視図である。
【図２８】本発明のディスクドライブ装置に係る姿勢調整機構の第４の実施例を示すもので、図２８Ａは姿勢調整機構の最下段の説明図、図２８Ｂは姿勢調整機構の最上段の説明図である。
【図２９】図２８に示す姿勢調整機構に係る操作部材の斜視図である。
【図３０】本発明のディスクドライブ装置に係る姿勢調整機構の第５の実施例を示すもので、図３０Ａは姿勢調整機構の最下段の説明図、図３０Ｂは姿勢調整機構の最上段の説明図である。
【符号の説明】
【０１５１】
１…ノート型パーソナルコンピュータ（情報記録及び／又は再生装置）、  ２…装置筐体、  ３…蓋体、  ７…光学ディスク（ディスク状記録媒体）、  １０…ディスクドライブ装置、  １１…筐体、  １２…ドライブユニット、  １４…ケース本体、  １４ａ…底面部、  １５…ケース蓋体、  ２４…ディスク挿脱口、  ２６…ディスク装着部、  ３０…ディスク搬送機構、  ３１，３２，３３，３４…回動アーム、  ４０…ベース部材、  ４１…回転駆動機構、  ４２…光学ピックアップ、  ４３…ピックアップ移動機構、  ４７…スピンドルモータ、  ４８…ターンテーブル、  ５５…対物レンズ、  ５６…対物レンズ駆動機構、  ６１…ピックアップベース、  ７２…第１のカムピン、  ７３…第２のカムピン、  ７５…スライドプレート（スライド部材）、  ７６…カム溝、  ７６ｃ…上水平部、  ７７…駆動レバー、  ７８…カム溝、  ８３…ベース移動機構、  ８４…カム片、  ８４ａ…垂直面部、  ９０，１３０，１４０，１５０，１６０…姿勢調整機構、  ９１，１５１…調整ねじ、  ９２，１３２，１４２，１５２，１６２…操作部材、  ９２ａ，１３２ａ，１４２ａ，１５２ａ，１６２ａ…当接部、  ９３…捩りばね（弾性部材）、  ９７…カシメピン、  １１１…フレキシブル配線板、  １２１…コネクタ、  １２８…紫外線硬化性接着剤、  １５５，１６５…操作カム溝、  １６１…固定ねじ
【図１】
0004525633.tif 000002
【図２】
0004525633.tif 000003
【図３】
0004525633.tif 000004
【図４】
0004525633.tif 000005
【図５】
0004525633.tif 000006
【図６】
0004525633.tif 000007
【図７】
0004525633.tif 000008
【図８】
0004525633.tif 000009
【図９】
0004525633.tif 000010
【図１０】
0004525633.tif 000011
【図１１】
0004525633.tif 000012
【図１２】
0004525633.tif 000013
【図１３】
0004525633.tif 000014
【図１４】
0004525633.tif 000015
【図１５】
0004525633.tif 000016
【図１６】
0004525633.tif 000017
【図１７】
0004525633.tif 000018
【図１８】
0004525633.tif 000019
【図１９】
0004525633.tif 000020
【図２０】
0004525633.tif 000021
【図２１】
0004525633.tif 000022
【図２２】
0004525633.tif 000023
【図２３】
0004525633.tif 000024
【図２４】
0004525633.tif 000025
【図２５】
0004525633.tif 000026
【図２６】
0004525633.tif 000027
【図２７】
0004525633.tif 000028
【図２８】
0004525633.tif 000029
【図２９】
0004525633.tif 000030
【図３０】
0004525633.tif 000031